(57)【要約】【課題】スノーボードの可撓性が減殺されることなく、コントロール性を高めること。【解決手段】  スノーボード１０１のボード上面１０２ｕに設置されるベース体５と、ベース体５と上記ボード上面１０２ｕとを連結する複数の連結部１０，２０，３０，４０とを備え、これら連結部１０，２０，３０，４０のうち１つの連結部を、ベース体５がボード１０２に対して回動可能に直接連結した直接連結部２０に設定するとともに、該直接連結部以外の複数の連結部を、ベース体５が連結部材１３，３３，４３を介してボード１０２に対して連結され、直接連結部２０を基準としてボード１０２の撓みを制御する間接連結部１０，３０，４０に設定した。
2018122967.tif 000002
【特許請求の範囲】
【請求項１】
スノーボードのボードの上面に設置されるベース体と、
該ベース体の長手方向の前後各側に、ビンディングを取付け可能に備えたビンディング取付部と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定した
スノーボード用制御装置。
【請求項２】
上記連結部は、上記ベース体の長手方向の前後両端のうち少なくとも一端と、該ベース体の長手方向の中間に設けられ、
上記ベース体の少なくとも上記一端に設けた上記連結部を、上記直接連結部に設定した
請求項１に記載のスノーボード用制御装置。
【請求項３】
少なくとも１つの上記間接連結部は、該間接連結部の長手方向に伸縮する伸縮連結部材を備えるとともに、該伸縮連結部材の伸縮抵抗に基づいて上記ボードの撓みを制御する伸縮抵抗付与手段を備えた
請求項１又は２に記載のスノーボード用制御装置。
【請求項４】
上記伸縮抵抗付与手段により付与する上記伸縮連結部材の伸縮抵抗の大きさを調整する伸縮抵抗調整手段を備えた
請求項３に記載のスノーボード用制御装置。
【請求項５】
上記ベース体と上記連結部とで構成される制御手段を一対備え、該一対の制御手段を上記ボードの上面の幅方向に並設した
請求項１乃至４のいずれか１項に記載のスノーボード用制御装置。
【請求項６】
上記一対の制御手段に備えた夫々の上記ベース体の幅方向の間に、該ベース体の長手方向に延びる捩り制御手段を備えた
請求項５に記載のスノーボード用制御装置。
【請求項７】
上記一対の制御手段の幅方向の間に、これら一対の制御手段に備えた両ベース体を幅方向に接合するベース体接合部材を備え、
上記ベース体接合部材を、上記ベース体の長手方向の前後両側に備えた上記ビンディング取付部材に設定した
請求項５又は６に記載のスノーボード用制御装置。
【発明の詳細な説明】
【技術分野】
【０００１】
この発明は、スノーボードのボードとビンディングとの間に介在させるベース体を備えるとともに、ボードとベース体とに連結され、ベース体に対して所定の可動範囲を許容しながらボードの撓みを制御する連結部を備えたスノーボード用制御装置に関する。
【背景技術】
【０００２】
一般にスノーボードのボードは、雪面等の滑走面を滑走時の機動性や衝撃吸収性を確保するために、滑走面の形状に応じて撓み変形し易いように可撓性を有して設計されている。【０００３】
一方、スノーボードのビンディングおよびその取付具は、ボーダーの操作力を受け止めて該操作力がボードに直接的に伝達し易いようにスノーボードに強固に固定されるとともに高剛性となるように設計されている。【０００４】
このようにスノーボードのボードと、ビンディングおよびその取付具とは相反する特性を有するため、従来のようにビンディングを、その取付具を介してボードに装着した場合、ボードの可撓性が減殺されるという課題があった。このことはスキーにおいてスキー板とビンディングとの間においても同様の課題があった。【０００５】
このような課題に対して特許文献１のスキービンディング搭載用プラットフォームに例示されるように、スキービンディングをスキー板に直接取り付けないで制御装置（プラットフォーム）を介して取り付けたものが提案されている。【０００６】
特許文献１のものは、スキー（５）の上面へ装着する弾性変形可能なベースプレート（１１）と、スキービンディングの前部を位置決めする前部位置決めプレート（１２）と、後部を位置決めする後部位置決めプレート（１３）とを備えている。前部位置決めプレート（１２）は、その前後各側でベースプレート（１１）に一対のレバーを介して枢動可能に接続され、該ベースプレート（１１）の前方所定位置の上面に支持されている。後部位置決めプレート（１３）は、その前後各側でベースプレート（１１）に一対のレバーを介して枢動可能に接続され、該ベースプレート（１１）の後方所定位置の上面に支持されている。【０００７】
すなわち、特許文献１のものは、ベースプレート（１１）とスキー（５）の上面とを連結する複数の連結部は、全てベースプレート（１１）が連結部材としてのレバーを介してスキー（５）に対して連結した構成を採用している。【０００８】
しかしながら特許文献１の構成においては、複数設けた各連結部材が夫々の可動範囲の下で方々に自由に可動するとユーザとボード（スキー板）との一体性が損なわれるため、特許文献１のような制御装置を介してボードをコントロールすることがかえって困難になることが懸念され、改善の余地があった。
【先行技術文献】
【特許文献】
【０００９】
【特許文献１】欧州特許第２２８５４５７号明細書（ＥＰ２２８５４５７  Ｂ１）
【発明の概要】
【発明が解決しようとする課題】
【００１０】
そこでこの発明は、スノーボードの可撓性が減殺されることなく、コントロール性を高めることができるスノーボード用制御装置の提供を目的とする。
【課題を解決するための手段】
【００１１】
この発明は、スノーボードのボードの上面に設置されるベース体と、該ベース体の長手方向の前後各側に、ビンディングを取付け可能に備えたビンディング取付部と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定したものである。【００１２】
上記構成によれば、スノーボードの可撓性が減殺されることなくコントロール性を高めることができる。【００１３】
この発明の態様として、上記連結部は、上記ベース体の長手方向の前後両端のうち少なくとも一端と、該ベース体の長手方向の中間に設けられ、上記ベース体の少なくとも上記一端に設けた上記連結部を、上記直接連結部に設定することができる。【００１４】
上記構成によれば、ボードを効率よく制御することが可能となり、ボードのコントロール性をより高めることができる。【００１５】
またこの発明の態様として、少なくとも１つの上記間接連結部は、該間接連結部の長手方向に伸縮する伸縮連結部材を備えるとともに、該伸縮連結部材の伸縮抵抗に基づいて上記ボードの撓みを制御する伸縮抵抗付与手段を備えることができる。【００１６】
上記構成によれば、間接連結部は、伸縮抵抗付与手段を備えた伸縮連結部材により構成したため、滑走時に伸縮連結部材が伸縮抵抗付与手段によって衝撃を吸収することができるため、衝撃吸収効果を高めることができる。【００１７】
さらに、滑走時にボードが撓み変形しても、該ボードは、伸縮抵抗付与手段による伸縮抵抗力が付勢されることで、連続して続く滑走面の滑走に備えてボード体を元の形状に復元させ易くなるため、起伏の激しい滑走面であっても撓み変形したボードの追従性を高めることができ、結果的にボードのコントロール性を高めることができる。【００１８】
上記伸縮抵抗付与手段は、バネやゴム等の弾性体、ダンパ、或いはこれらの両方を備えた構成を採用することができる。【００１９】
またこの発明の態様として、上記伸縮抵抗付与手段により付与する上記伸縮連結部材の伸縮抵抗の大きさを調整する伸縮抵抗調整手段を備えることができる。【００２０】
上記構成によれば、滑走面の形状、滑走条件や各ボーダー（ユーザー）の適性、レベルに応じて伸縮抵抗調整手段によって伸縮連結部材の伸縮抵抗の大きさを調整することができるため、ボードのコントロール性をより高めることができる。【００２１】
またこの発明の態様として、上記ベース体と上記連結部とで構成される制御手段を一対備え、該一対の制御手段を上記ボードの上面の幅方向に並設することができる。【００２２】
上記構成によれば、一対の制御手段をボードの上面の幅方向に並設することにより、ボードの幅方向の両側において、ボードの撓みを制御することが可能となり、安定性およびコントロール性を高めることができる。【００２３】
またこの発明の態様として、上記一対の制御手段に備えた夫々の上記ベース体の幅方向の間に、該ベース体の長手方向に延びる捩り制御手段を備えることができる。【００２４】
上記構成によれば、滑走時において長手方向に延びる捩り制御手段を軸としてこの軸回りの捩じりについても制御することができるため、ターンしながらスムーズに滑走することができる。【００２５】
またこの発明の態様として、上記一対の制御手段の幅方向の間に、これら一対の制御手段に備えた両ベース体を幅方向に接合するベース体接合部材を備え、上記ベース体接合部材を、上記ベース体の長手方向の前後両側に備えた上記ビンディング取付部材に設定することができる。【００２６】
上記構成によれば、上記一対の制御手段の幅方向の間に、ベース体接合部材としてのビンディング取付部材を備えることにより、一対の制御手段の夫々によってユーザの体重を、ビンディング取付部材を介してバランスよく支持することができる。また、一対の制御手段の接合をビンディング取付部材によって賄うことができるため、一対の制御手段を接合するための接合部材を別途備える必要がなく部品点数を省くことができる。
【発明の効果】
【００２７】
スノーボードの可撓性が減殺されることなく、コントロール性を高めることができるスノーボード用制御装置を提供することができる。
【図面の簡単な説明】
【００２８】
【図１】本実施形態のスノーボード用制御装置を底面側から見た斜視図。
【図２】本実施形態のスノーボード用制御装置の平面図。
【図３】図２中のＡ−Ａ線縦断面図。
【図４】本実施形態のスノーボード用制御装置の図３に対応する作用説明図。
【図５】スノーボード用制御装置の長手方向の中間部を拡大して示した構成及び作用説明図。
【図６】スノーボード用制御装置の長手方向の両端部を拡大して示した構成及び作用説明図。
【図７】中間前側連結部を幅方向中間位置の縦断面により示した構成及び作用説明図。
【図８】中間後側連結部を幅方向中間位置の縦断面により示した構成及び作用説明図。
【図９】他の実施形態のスノーボード用制御装置を底面側から見た斜視図。
【図１０】他の実施形態のスノーボード用制御装置の平面図。
【図１１】さらに他の実施形態のスノーボード用制御装置の平面図。
【図１２】さらに他の実施形態のスノーボード用制御装置の説明図。
【図１３】他の実施形態の中間前側連結部の説明図。
【発明を実施するための形態】
【００２９】
この発明の一実施形態を、以下図面を用いて説明する。  
（第１実施形態）
図１は本実施形態のスノーボード用制御装置の底面側から見た斜視図、図２は本実施形態のスノーボード用制御装置をボードに装着した状態を示す平面図、図３は図２中のＡ−Ａ線縦断面図、図４は本実施形態のスノーボード用制御装置の図３に対応する作用説明図、図５（ａ）は図３における長手方向の中間部の拡大図、図５（ｂ）は図４における長手方向の中間部の拡大図、図６（ａ）は図３における長手方向の両端部の拡大図、図６（ａ）は図４における長手方向の両端部の拡大図、図６（ｃ）はボードが図４に示す向きと逆向きに撓んだときのスノーボード用制御装置の長手方向の両端部の拡大図、図７（ａ）は中間前側連結部の幅方向の中間位置の縦断面図であって、中間前側伸縮アームの作用説明図、図７（ｂ）はベース体に対して中間前側伸縮アームが傾いた状態における、図７（ａ）に対応して示した作用説明図、図８（ａ）は中間後側連結部の幅方向の中間位置の縦断面図であって、中間後側アームの作用説明図、図８（ｂ）はベース体に対して中間後側アームが傾いた状態における、図８（ａ）に対応して示した作用説明図である。
【００３０】
なお、図中、矢印Ｆは装置前方を示し、矢印Ｒは装置後方を示し、矢印Ｕは装置上方を示し、矢印Ｘは後記のアーム軸方向を示す。
【００３１】
図１〜図４に示すように、第１実施形態のスノーボード用制御装置１（以下、「制御装置１」という）は、幅方向に並設される一対の制御手段２，２と、これら一対の制御手段２，２の幅方向の間に介在し、ビンディング１００（図３参照）を取付け可能に備えたビンディング取付プレート３と、連結プレート４とを備えている。
【００３２】
ビンディング取付プレート３は、一対の制御手段２，２の幅方向の間における長手方向（前後方向）の前後各側に配置されている。この状態でビンディング取付プレート３は、連結プレート４を介して一対の制御手段２，２に一体に連結されている。
【００３３】
具体的には、連結プレート４は、制御装置１の幅方向の全体に亘って延びる短冊状に形成されており、前後各側のビンディング取付プレート３の長手方向の前端と後端に相当する部位において、一対の制御手段２，２とビンディング取付プレート３とに架け渡すように裏面側から配置されている。そして連結プレート４と一対の制御手段２，２の夫々とが底面視でオーバーラップする部分をボルトおよびナットにより締結固定するとともに、連結プレート４とビンディング取付プレート３とが底面視でオーバーラップする部分をボルトおよびナットにより締結固定している。これにより一対の制御手段２，２は、ビンディング取付プレート３および連結プレート４を介して互いに一体に接合されている。
【００３４】
一対の制御手段２，２は、互いに同一の構成であるため、制御手段２の構成を幅方向の一方の制御手段２の構成に基づいて説明する。
【００３５】
制御手段２は、スノーボード１０１のボード１０２の上面１０２ｕ（図２、図３参照）に設置されるベース体５と、該ベース体５とボード上面１０２ｕとを連結することで、ベース体５に対してボード１０２の所定の可動範囲を許容しつつ該ボード１０２の撓みを制御可能とする複数の連結部１０，２０，３０，４０とを備えている。
【００３６】
ベース体５は、平面視縦長の矩形状に形成された板状のベースプレート５ａと、ベースプレート５ａの幅方向の両端には側壁プレート５ｂ（図１参照）を備え、いずれも軽量かつ高剛性の炭素繊維を用いた成形により一体に形成されている。この側壁プレート５ｂは、ベースプレート５ａの幅方向の両端において、ベースプレート５ａの下面に対して下方へ立設するように接合されている。これにより側壁プレート５ｂは、ベース体５の幅方向の両側において長手方向の略全長に亘って延びる縦壁状に形成されている。なお、ベース体５の幅方向内側の側壁プレート５ｂには、幅方向に配置した連結プレート４が横切るように該連結プレート４を挿通する挿通孔５ｂａ（図１参照）が形成されている。
【００３７】
さらに図１、図３に示すように、ベース体５の下部には、ベースプレート５ａの下面と幅方向の両側の側壁プレート５ｂの幅方向内面とで、連結部１０，２０，３０，４０の少なくとも一部を収容可能に下方へ向けて開口した底浅の収容空間５Ａが形成されている。
【００３８】
連結部１０，２０，３０，４０は、ベース体５の長手方向（前後方向）の前端に備えた前端連結部１０と、後端に備えた後端連結部２０と、中間位置の前側に備えた中間前側連結部３０と、中間位置の後側に備えた中間後側連結部４０とを備えている。
【００３９】
図６（ａ）に示すように、前端連結部１０は、ベース体５の前端においてボルト等で締結固定された前端ベース体取付部材１１と、非撓み変形状態のボード上面１０２ｕとの対向部位にボルト等で締結固定される前端ボード取付部材１２と、スライド軸１３と、回転軸１４を備えている。
【００４０】
前端ベース体取付部材１１には、その幅方向の両側において長手方向に貫通形成された貫通孔１１ａにガイドブッシュ１５が嵌合され、スライド軸１３は、前端ベース体取付部材１１に、該ガイドブッシュ１５を介して長手方向にスライド自在に支持されている。
【００４１】
スライド軸１３の後端は、前端ベース体取付部材１１の後面に当接する抜け止め用の鍔状のストッパ１６を備えている。スライド軸１３の前端は、幅方向に延びる回転軸１４を介して前端ボード取付部材１２の後部に回動自在に連結されている。
【００４２】
前端ボード取付部材１２は、前端ベース体取付部材１１に対してスライド軸１３を介して長手方向にスライド（伸縮）可能であるとともに幅方向に延びる回転軸１４を介して回転軸１４回りに回転可能に形成されている。
【００４３】
要するに前端連結部１０は、上述したように、前端ボード取付部材１２が前端ベース体取付部材１１に対して回転軸１４を介して回転可能に、直接的に連結されているのではなく、スライド軸１３を介して間接的に連結された構成としている。
【００４４】
図６（ａ）に示すように、後端連結部２０は、ベース体５の後端においてボルト等で締結固定された後端ベース体取付部材２１と、非撓み変形状態のボード上面１０２ｕとの対向部位にボルト等で締結固定される後端ボード取付部材２２と、回転軸２３とを備えている。
【００４５】
後端ベース体取付部材２１の後部は、幅方向に延びる回転軸２３を介して後端ボード取付部材２２の前部に回動自在に連結されている。
【００４６】
要するに後端連結部２０は、上述したように、後端ボード取付部材２２が回転軸２３を介して回動可能に後端ベース体取付部材２１に対して直接連結された構成としている。
【００４７】
図５（ａ）、（ｂ）、図７（ａ）、（ｂ）に示すように、中間前側連結部３０は、ベース体５の中間前側位置においてボルト等で締結固定された中間前側ベース体取付部材３１と、非撓み変形状態のボード上面１０２ｕとの対向部位にボルト等で締結固定される中間前側ボード取付部材３２と、中間前側ベース体取付部材３１と中間前側ボード取付部材３２との間に伸縮可能に介在する中間前側伸縮アーム３３と、ベース体側回転軸３４と、ボード側回転軸３５と、を備えている。なお、図５（ａ）、（ｂ）、図７（ａ）、（ｂ）中の符号６０は、中間前側ボード取付部材３２をボード１０２にボルト締結する際に工具を差し込むための作業用孔である。
【００４８】
中間前側伸縮アーム３３は、底面視略矩形の枠状に形成された枠状部材３６（図１参照）と、スライド軸３７と、筒状軸受け部材３８と、ガイドブッシュ５１とを備えている。
【００４９】
詳述すると、スライド軸３７は、枠状部材３６のボード側辺３６ａにアーム軸方向に貫通形成された貫通孔に嵌合されたガイドブッシュ５１にベース体５側からボード１０２側に挿通されたボルトで形成されている。すなわちスライド軸３７は、図７（ａ）（ｂ）に示すように、ベース体５側の端部に頭部３７ｂが設けられるとともに、枠状部材３６のボード側辺３６ａからのボード１０２側への突出部分の先端部には雄ネジ部３７ａが形成されている。ただし、スライド軸３７の頭部３７ｂから雄ネジ部３７ａとの間は、外周面に雄ネジ部３７ａが形成されていない寸胴な円柱状（丸棒状）に形成されている。
【００５０】
スライド軸３７は、雄ネジ部３７ａが形成されていない丸棒部分（ネジ非形成部）がガイドブッシュ５１に挿通されているため、該ガイドブッシュ５１に対してアーム軸方向にスライド可能に保持されている。
【００５１】
中間前側伸縮アーム３３のボード１０２側には、筒状軸受け部材３８を備えている。この筒状軸受け部材３８は、ボード１０２側端部が閉塞され、ベース体５側端部が開口した、スライド軸３７を挿通可能な筒状に形成されており、その内周面には、スライド軸３７の雄ネジ部３７ａと螺合する雌ネジ部３８ａが形成されている。
【００５２】
そしてスライド軸３７の先端側部分は、筒状軸受け部材３８に雄ネジ部３７ａと雌ネジ部３８ａとが螺合した状態で挿通されている。
【００５３】
さらに図５（ａ）、（ｂ）、図７（ａ）、（ｂ）に示すように、中間前側伸縮アーム３３には、中間前側伸縮アーム３３の伸縮長さ（スライド軸３７のスライド長さ）を調整する手段としてのアーム長調節ナット５２を備えている。このアーム長調節ナット５２は、筒状軸受け部材３８とガイドブッシュ５１との間においてスライド軸３７の雄ネジ部３７ａに螺合させた状態で介在している。
【００５４】
そしてアーム長調節ナット５２を筒状軸受け部材３８に対して回動させることにより、筒状軸受け部材３８に対してスライド軸３７をスライドさせることができ、中間前側伸縮アーム３３の長さ調整をすることができる。
【００５５】
さらに同図に示すように、中間前側伸縮アーム３３は、ガイドブッシュ５１とスライド軸３７の頭部３７ｂとの間に、スライド軸３７を囲繞するコイル状のバネ５３と、バネ５３をそのベース体５側端からボード１０２側へ押さえ付けて保持する押さえ板５４と、バネ５３の伸縮量を調整するダブルナット５５（５５ａ，５５ｂ）を備えている。
【００５６】
この押さえ板５４は、スライド軸３７の頭部３７ｂとバネ５３との間に介在する円環状の板（ワッシャ）により形成され、枠状部材３６のボード側辺３６ａの側へバネ５３を自然長から圧縮状態となるように押さえ付ける位置でスライド軸３７に一体に取り付けられている。
【００５７】
これにより、スライド軸３７は通常時においては、アーム軸方向のベース体５側に付勢された状態とされている。
【００５８】
バネ５３は、中間前側伸縮アーム３３の伸縮抵抗を付与する伸縮抵抗付与手段であり、スライド軸３７と同軸になるように配置されている。そしてバネ５３は、スライド軸３７がガイドブッシュ５１に対してボード１０２側へスライドしようとしたときに例えば、さらに圧縮変形することに伴って伸縮抵抗としての弾性力（復元力）をスライド軸３７に付与することができる。
【００５９】
ダブルナット５５は、アーム長調節ナット５２とガイドブッシュ５１との間においてスライド軸３７の雄ネジ部３７ａに螺合させた状態で介在する２つのナットであり、スライド軸３７回りの回動に伴ってバネ５３長を変化させることにより、バネ５３の弾性力の大きさを調整する弾性力調整ナット５５ａと、弾性力調整ナット５５ａが回動しないように固定する固定ナット５５ｂと、で構成されている。弾性力調整ナット５５ａはベース体５側に備え、固定ナット５５ｂはボード１０２側に備えている。
【００６０】
上述した中間前側ボード取付部材３２、筒状軸受け部材３８、アーム長調節ナット５２、ダブルナット５５および押さえ板５４は、スライド軸３７が枠状部材３６のボード側辺３６ａに備えたガイドブッシュ５１に対してアーム軸方向へスライド時に該スライド軸３７とともに一体にスライドする。
【００６１】
また上述したように、バネ５３の付勢力（復元力）に抗して中間前側伸縮アーム３３がボード１０２側へ伸長した際には、バネ５３がより圧縮されることで中間前側伸縮アーム３３には、バネ５３のより大きな付勢力（復元力）が作用することになる。
【００６２】
なお、スライド軸３７は通常時においては、上述したように、アーム軸方向のベース体５側に付勢された状態とされているため、弾性力調整ナット５５ａのベース体５側の端面とガイドブッシュ５１のボード１０２側端面とが密着した状態となるが（図７（ａ）参照）、バネ５３の付勢力（復元力）に抗して中間前側伸縮アーム３３がボード１０２側へ伸長した際には、スライド軸３７のボード１０２側へのスライドに伴って、弾性力調整ナット５５ａのベース体５側の端面とガイドブッシュ５１のボード１０２側端面とが離間した状態となる（図５（ｂ）、図７（ｂ）参照）。
【００６３】
中間前側伸縮アーム３３の前部、すなわち枠状部材３６のベース体側辺３６ｂは、幅方向に延びるベース体側回転軸３４を介して中間前側ベース体取付部材３１の後部に回動自在に連結されている。一方、中間前側伸縮アーム３３の後部、すなわち筒状軸受け部材３８のボード１０２側端は、幅方向に延びるボード側回転軸３５を介して中間前側ボード取付部材３２の前部に回動自在に連結されている。
【００６４】
要するに中間前側連結部３０は、上述したように、中間前側ボード取付部材３２が、ベース体側回転軸３４およびボード側回転軸３５を介して回動可能であるとともに、中間前側伸縮アーム３３を介して中間前側ベース体取付部材３１に対して間接的に連結された構成としている。
【００６５】
図５（ａ）、（ｂ）、図８（ａ）、（ｂ）に示すように、中間後側連結部４０は、ベース体５の中間後側位置においてボルト等で締結固定された中間後側ベース体取付部材４１と、非撓み変形状態のボード上面１０２ｕとの対向部位にボルト等で締結固定される中間後側ボード取付部材４２と、中間後側ベース体取付部材４１と中間後側ボード取付部材４２との間に介在する中間後側アーム４３と、ベース体側回転軸４４と、ボード側回転軸４５と、を備えている。
【００６６】
中間後側アーム４３は、中間前側伸縮アーム３３と同様に、底面視略矩形の枠状に形成された枠状部材３６と、スライド軸１３７と、筒状軸受け部材３８と、ガイドブッシュ５１と、アーム長調節ナット５２と、ダブルナット５５とを備えているが、本実施形態においては中間後側アーム４３に備えたスライド軸１３７は、中間前側伸縮アーム３３に備えたスライド軸３７とは異なり、アーム軸方向へガイドブッシュ５１に対してスライド可能な長さを有しない短尺なボルトを採用している。このため、本実施形態の中間後側アーム４３は、アーム軸方向へ伸縮しない構成としている。
【００６７】
なお、中間後側アーム４３のスライド軸１３７は、中間前側伸縮アーム３３のスライド軸３７に対して長さが短尺であるだけで基本的な構成は同じであり、また中間後側アーム４３に備えた筒状軸受け部材３８、ガイドブッシュ５１と、アーム長調節ナット５２およびダブルナット５５は、中間前側伸縮アーム３３のそれと同様の構成であるためその説明は省略する。
【００６８】
さらに本実施形態においては、中間後側アーム４３は、ガイドブッシュ５１と、スライド軸１３７の頭部３７ｂとの間にバネ５３を介在させておらず、該中間後側アーム４３自体に伸縮時の抵抗を付与する手段を備えていない構成としている。
【００６９】
ただし、中間後側アーム４３についても中間前側伸縮アーム３３と同様に、スライド軸１３７がアーム軸方向へスライド可能に構成したり、バネ５３を備えて該バネ５３の弾性力により、中間後側アーム４３自体に伸縮抵抗を付与可能な構成を採用してもよい。この場合には、伸縮させたり、その伸縮時の抵抗を付与できない現状の中間後側アーム４３を、別途備えた、中間前側伸縮アーム３３と同様に構成したパーツと必要に応じて交換するだけで、中間後側アーム４３についても容易に中間後側伸縮アーム（図示省略）として構成することができる。
【００７０】
中間後側アーム４３の後部、すなわち枠状部材３６のベース体側辺３６ｂは、幅方向に延びるベース体側回転軸４４を介して中間後側ベース体取付部材４１の前部に回動自在に連結されている。一方、中間後側アーム４３の前部、すなわち筒状軸受け部材３８のボード１０２側端は、幅方向に延びるボード側回転軸４５を介して中間後側ボード取付部材４２の後部に回動自在に連結されている。
【００７１】
要するに中間後側連結部４０は、上述したように、中間後側ボード取付部材４２がベース体側回転軸４４およびボード側回転軸４５を介して回動可能であるとともに、中間後側アーム４３を介して中間後側ベース体取付部材４１に対して間接的に連結された構成としている。
【００７２】
続いて上述した制御装置１の作用について説明する。  
図６（ｂ）に示すように、ボード１０２がその長手方向の中間位置が下方に凸となる逆アーチ状（図４参照）に変形した場合には、前端連結部１０は、前端ベース体取付部材１１に対して前端ボード取付部材１２が、その前端が前方斜め上方を向くように回動する。さらにボード１０２が逆アーチ形状に大きく変形した場合には前端連結部１０は、スライド軸１３が後方へ退避するようにスライドする。
【００７３】
一方、図６（ｃ）に示すように、ボード１０２がその長手方向の中間位置が上方に凸となるアーチ状に変形した場合には、前端連結部１０は、前端ベース体取付部材１１に対して前端ボード取付部材１２が、その前端が前方斜め下方を向くように回動する。さらにボード１０２がアーチ形状に大きく変形した場合には前端連結部１０は、スライド軸１３が前方へ突き出すようにスライドする。
【００７４】
このように、前端連結部１０は、そのボード１０２の撓み具合に応じて前端ボード取付部材１２が回動するとともにスライドすることで、ボード１０２の変形に追従しながらその変形を許容しつつ、ボード１０２の前側部位が過度に撓んだり、バタついたりしないように制御することができる。
【００７５】
また図６（ｂ）に示すように、ボード１０２が逆アーチ状に変形した場合には、後端連結部２０は、後端ベース体取付部材２１に対して後端ボード取付部材２２が、その後端が後方斜め上方を向くように回動する一方で、図６（ｃ）に示すように、ボード１０２がアーチ状に変形した場合には、後端ベース体取付部材２１に対して後端ボード取付部材２２が、その後端が後方斜め下方を向くように回動する。
【００７６】
このように、後端連結部２０は、ボード１０２が変形しても、後端ボード取付部材２２の回動によってのみボード１０２の変形に追従することで、その他の連結部１０，３０，４０がよりアクティブに変位することで全体として制御困難になることを回避し、制御装置１を介してボード１０２を制御する際の基準点として機能させることができる。これにより、ボード１０２と制御装置１との一体性を保ち易くなりコントロール性を高めることができる。
【００７７】
また、中間前側連結部３０および中間後側連結部４０は、図５（ｂ）、図７（ｂ）、図８（ｂ）に示すように、ボード１０２が逆アーチ状に変形した際には、ボード１０２の長手方向の中間位置はベース体５に対して下方へ離間するように変形しようとするが、このようなボード１０２の形状に従って夫々に備えた中間前側伸縮アーム３３、中間後側アーム４３が積極的に下方に突き出すように傾くことでボード１０２がベース体５に対して離間することを許容しつつ制御装置１を介してボード１０２を制御することができる。
【００７８】
すなわち、ボーダーからの荷重を受け止めるため、高剛性で形成されたビンディング取付プレート３と、撓み変形し易いボード１０２との間に制御装置１が介在することでビンディング取付プレート３とボード１０２との相反する特性を両立することができる。
【００７９】
特に、本実施形態における中間前側連結部３０は、バネ５３の弾性力が付勢された状態で伸縮する中間前側伸縮アーム３３を備えている（図７（ｂ）参照）。これにより、中間前側連結部３０は、ボード１０２がアーチ状又は逆アーチ状に撓んだ場合であっても、伸縮性に優れたバネ５３が伸長することで、ボード１０２の適切な撓みを許容する一方で、所定以上ボード１０２が撓んだ場合にはバネ５３の弾性力（復元力）を活かしてボード１０２が過度に撓むことを阻止するとともに、ボード１０２が撓んだ形状から元の形状に素早く復帰させることで滑走面に対する追従性を高めることができる。しかも、ボード１０２と制御装置１との一体性を確保することができ、結果的に制御装置１を介してボード１０２のコントロール性を保つことができる。
【００８０】
換言すると、ボード１０２が逆アーチ状に変形した際には、上述したようなボード１０２の長手方向の中間位置がベース体５に対して大きく下方へ離間するように変形しようとするため、このようなボード１０２の長手方向の中間位置において、中間前側連結部３０が有する優れた伸縮性と弾力性とを活かすことができ、上述した効果を効果的に得ることができる点で有効である。
【００８１】
上述したように、制御装置１は、前端連結部１０、後端連結部２０、中間前側連結部３０および中間後側連結部４０によって、後端連結部２０を基準として協働でボード１０２の撓みを制御することができる。
【００８２】
上述した本実施形態の制御装置１は、スノーボード１０１のボード上面１０２ｕに設置されるベース体５と、該ベース体５の長手方向の前後各側に、ビンディング１００を取付け可能に備えたビンディング取付プレート３と、ベース体５とボード上面１０２ｕとを所定の可動範囲を許容して連結することで該ボード１０２の撓みを制御可能とする複数の連結部１０，２０，３０，４０と、で構成されるスノーボード用制御装置であって、連結部１０，２０，３０，４０は、ベース体５がボード１０２に対して回動可能に直接連結した直接連結部としての後端連結部２０と、ベース体５が連結部材（スライド軸１３、中間前側伸縮アーム３３および中間後側アーム４３の夫々）を介してボード１０２に対して連結した間接連結部としての端連結部１０、中間前側連結部３０および中間後側連結部４０とで構成されたものである。
【００８３】
上記構成によれば、スノーボード１０１の可撓性が減殺されることなくコントロール性を高めることができる。
【００８４】
詳述すると、上記構成によれば、ビンディング取付プレート３とボード１０２との間にベース体５を介在させ、ベース体５とボード上面１０２ｕとを複数の連結部１０，２０，３０，４０によって所定の可動範囲を許容して連結することでビンディング取付プレート３をボード１０２に直接装着した従来のタイプよりもボード１０２の撓みが剛性の高いビンディング取付プレート３によって減殺されることを解消することができる。
【００８５】
しかも、上記構成によれば、複数の連結部１０，２０，３０，４０のうち後端連結部２０を、ベース体５をボード１０２に直接連結する直接連結部に設定するとともに、それ以外の連結部１０，２０，３０を、連結部材１３，３３，４３を介してベース体５をボード１０２に連結する間接連結部に設定したため、後端連結部２０を基準としてその他の間接連結部１０，２０，３０が可動範囲の下で可動しながらボード１０２の撓みを制御することができる。
【００８６】
よって、全ての連結部が直接連結部に設定した場合のように、複数設けた各連結部に備えた連結部材が夫々の可動範囲の下で方々に自由に可動することにより、ベース体５を介してボード１０２をコントロールするコントロール性が損なわれることがないため、スノーボード１０１の可撓性が減殺されることなくコントロール性を高めることができる。
【００８７】
この発明の態様として、連結部は、ベース体５の長手方向の前後両端と、該ベース体５の長手方向の中間に設けられ、ベース体５の後端に設けた後端連結部２０を、直接連結部に設定したものである。
【００８８】
上記構成によれば、ボード１０２を効率よく制御することが可能となり、ボード１０２のコントロール性をより高めることができる。
【００８９】
具体的には、上記構成によれば、連結部１０，２０，３０，４０は、ベース体５の長手方向の前後両端と、該ベース体５の長手方向の中間に設けたため、ベース体５の長手方向において少ない連結部によりボード１０２を効率よく制御することが可能となる。
【００９０】
さらにベース体５の長手方向の後端に設けた後端連結部２０を、直接連結部に設定することにより、該直接連結部を基準点としてボード１０２の撓みを効果的に制御することが可能となりボード１０２のコントロール性をより高めることができる。
【００９１】
またこの発明の態様として、中間前側連結部３０は、アーム軸方向に伸縮する伸縮連結部材としての中間前側伸縮アーム３３を備えるとともに、該中間前側伸縮アーム３３の弾性力に基づいてボード１０２の撓みを制御する伸縮抵抗付与手段としてのバネ５３を備えたものである。
【００９２】
上記構成によれば、中間前側連結部３０は、バネ５３を備えた中間前側伸縮アーム３３により構成したため、滑走時に中間前側伸縮アーム３３がバネ５３によって衝撃を吸収することができるため、衝撃吸収効果を高めることができる。
【００９３】
さらに、滑走時にボード１０２が撓み変形しても、該ボード１０２は、バネ５３による弾性力が付勢されることで、連続して続く次の滑走面の滑走に備えてボード１０２体を元の形状に復元させ易くなるため、起伏の激しい滑走面であっても撓み変形したボード１０２の追従性を高めることができ、結果的にボード１０２のコントロール性を高めることができる。
【００９４】
またこの発明の態様として、バネ５３により付与する中間前側伸縮アーム３３の弾性力の大きさを調整する伸縮抵抗調整手段としての弾性力調整ナット５５ａを備えたものである。
【００９５】
上記構成によれば、滑走条件や各ボーダー（ユーザー）の適性、レベルに応じて伸縮抵抗調整手段によって伸縮連結部材の伸縮抵抗の大きさを調整することができるため、ボード１０２のコントロール性をより高めることができる。
【００９６】
またこの発明の態様として、ベース体５と連結部１０，２０，３０，４０とで構成される制御手段２を一対備え、該一対の制御手段２，２をボード上面１０２ｕの幅方向に並設したものである。
【００９７】
上記構成によれば、一対の制御手段２，２をボード上面１０２ｕの幅方向に並設することにより、ボード１０２の幅方向の両側において、ベース体５との間で連結部１０，２０，３０，４０により所定の可動範囲の下でボード１０２の撓みを制御することが可能となり、安定性およびコントロール性を高めることができる。
【００９８】
またこの発明の態様として、一対の制御手段２，２の幅方向の間に、これら一対の制御手段２，２に備えた両ベース体５，５を幅方向に接合するベース体接合部材を備え、ベース体接合部材をビンディング取付プレート３に設定したものである。
【００９９】
上記構成によれば、一対の制御手段２，２の幅方向の間に、ベース体接合部材としてのビンディング取付プレート３を備えることにより、一対の制御手段２，２の夫々によってユーザの体重をビンディング取付プレート３を介してバランスよく支持することができる。また、一対の制御手段２，２の連結をビンディング取付プレート３によって賄うことができるため、一対の制御手段２，２を連結するための連結部材を別途備える必要がなく部品点数を省くことができる。
【０１００】
この発明のビンディング取付部は、本実施例のビンディング取付プレート３に対応し、以下同様に、  
複数の連結部は、前端連結部１０、後端連結部２０、中間前側連結部３０および中間後側連結部４０に対応し、  
間接連結部は、前端連結部１０、中間前側連結部３０および中間後側連結部４０に対応し、  
直接連結部は、後端連結部２０に対応し、  
連結部材は、スライド軸１３、中間前側伸縮アーム３３および中間後側アーム４３に対応し、  
伸縮連結部材は、中間前側伸縮アーム３３に対応し、  
伸縮抵抗付与手段は、バネ５３に対応し、  
伸縮抵抗調整手段は、弾性力調整ナット５５ａに対応し、  
ベース体の長手方向の前後両端のうち少なくとも一端は、ベース体５の後端に対応し、  
後記の捩り制御手段６１は、捩り制御プレート６１又は捩り制御ビーム７１に対応するも、この発明は、上述の実施例の構成のみに限定されるものではない。
【０１０１】
例えば、図９、図１０に示す制御装置１Ａのように、一対の制御手段２，２に備えた夫々のベース体５の幅方向の間に、前後方向に延びる捩り制御手段２としての捩り制御プレート６１を備えてもよい。
【０１０２】
具体的には、捩り制御プレート６１は、ベース体５と同じ炭素繊維で形成された長細いプレートであり、平面視で、前後各側のビンディング取付プレート３，３と、幅方向各側の制御手段２，２との間に構成される空間に、一方の板面が上方を向くように長手方向に沿って配置されている。
【０１０３】
この捩り制御プレート６１の前端は、該前端と対向する連結プレート４側から後方へ延設する取付片６２にボルト等で接合固定され、捩り制御プレート６１の後端は、該後端と対向する連結プレート４側から前方へ延設する取付片６２にボルト等で接合固定されている。これにより捩り制御プレート６１は、その幅方向の中心軸が一対の制御手段２，２の幅方向の中心軸と一致するように、前後各側の連結プレート４，４に架け渡されている。
【０１０４】
上記構成によれば、制御装置１に長手方向の一端と後端とが中心軸回りにおいて異なる方向に変形させる力が作用した場合、すなわち、中心軸回りの捻じれ力が作用した場合であっても、捩り制御プレート６１が、その弾性力（復元力）によって捩じれ前の形状に保つように作用することができ、制御装置１を介してボード１０２の捩じれの影響を緩和してボード１０２の安定性、コントロール性を高めることができる。
【０１０５】
従って、滑走時において長手方向に延びる捩り制御手段２を軸としてこの軸回りの捩じりについても制御することができるため、ターンしながらスムーズに滑走することができる。
【０１０６】
また、捩り制御手段２は、上述した捩り制御プレート６１に限らず、図１１に示す捩り制御ビーム７１を採用してもよい。
【０１０７】
捩り制御ビーム７１は、２本のビーム７１ａ，７１ａを平面視でクロスさせた形状で形成され、制御装置１Ｂにおいて、平面視で、前後各側のビンディング取付プレート３，３と、幅方向各側の制御手段２，２との間に構成される空間に、対角線状に配置されている。そして、捩り制御ビーム７１の各端部は、連結プレート４の夫々に対向する部分に形成した取付片７２にボルト等で接合固定されている。
【０１０８】
上記構成の捩り制御ビーム７１を備えた制御装置１Ｂにおいても、上述した制御装置６１と同様の効果を得ることができる。
【０１０９】
また他の実施形態として、図１２（ａ１）、（ｂ１）に示すように、前端連結部１０は、前端ベース体取付部材１１に対する前端ボード取付部材１２のスライド長さを調整するスライド長さ調整手段（８１）を備えてもよい。
【０１１０】
具体的には、スライド長さ調整手段は、スライド軸３７の外周に着脱可能に形成したＣ環状等のスライド長さ調整ブロック８１（以下、「ブロック８１」という）で形成することができる。
【０１１１】
そして、ブロック８１を図１２（ａ１）に示すように、スライド軸３７の軸方向におけるベース体取付部材１１よりも前側に装着することで、ボード１０２が逆アーチ状に撓んだとき、図１２（ａ２）に示すように、前端ボード取付部材１２は後方に退避するが、ブロック８１が前端ベース体取付部材１１に当接することでそれ以上後方に退避しないように規制することができる。
【０１１２】
これにより、ブロック８１を図１２（ａ１）に示すように、スライド軸３７の軸方向におけるベース体取付部材１１よりも前側に装着することで、ボード１０２が逆アーチ状に撓んだときの前端連結部１０のボード１０２の変形に対する追従性を低下させることができ、結果的にボード１０２の前側部分の撓みを抑制することができる。
【０１１３】
一方、ブロック８１を図１２（ｂ１）に示すように、スライド軸３７の軸方向におけるベース体取付部材１１よりも後側に装着することで、ボード１０２がアーチ状に撓んだとき、図１２（ｂ２）に示すように、前端ボード取付部材１２は前方へ突出するが、ブロック８１が前端ベース体取付部材１１に当接することでそれ以上前方へ突出しないように規制することができる。
【０１１４】
これにより、ブロック８１を図１２（ｂ１）に示すように、スライド軸３７の軸方向におけるベース体取付部材１１よりも後側に装着することで、ボード１０２がアーチ状に撓もうとしたときの前端連結部１０のボード１０２の変形に対する追従性を低下させることができ、結果的にボード１０２の前側部分の撓みを抑制することができる。
【０１１５】
上述したように、前端連結部１０は、ブロック８１のスライド軸３７に対する装着位置、ブロック８１のスライド軸１３の軸方向の厚み、ブロック８１を装着するか否かを含めて変更することで、スライド軸３７のスライド量を調整することができ、結果的にボード１０２の前側部分の撓み具合を調整することできる。
【０１１６】
また上述した中間前側連結部３０は、中間前側伸縮アーム３３を備え、この中間前側伸縮アーム３３に備えたダブルナット５５（５５ａ，５５ｂ）により、バネ５３の伸縮量を調整可能に構成したが（図７（ａ），（ｂ）参照）、本発明の伸縮連結部材は、上記構成に限らず、例えば、図１３（ａ），（ｂ）に示すような他の実施形態を採用してもよい。
【０１１７】
図１３（ａ）は、図７（ｂ）に相当する他の実施形態の中間前側連結部１３０に備えた伸縮連結部材としての中間前側伸縮アーム１３３の説明図であり、図１３（ｂ）は、中間前側伸縮アーム１３３に備えた後述する中間前側伸縮アーム本体部１３６の正面図である。
【０１１８】
本実施形態の中間前側伸縮アーム１３３は、中間前側伸縮アーム本体部１３６と弾性力調節ナット１３５とで構成し、中間前側伸縮アーム本体部１３６は、図１３（ａ），（ｂ）に示すにように、段付のシャフト状に形成され、その軸方向のボード１０２側には、大径に形成したアーム大径部１３７を備えるとともに、ベース体５側にはアーム大径部１３７よりも小径に形成されたアーム小径部１３８を備え、これらアーム大径部１３７とアーム小径部１３８とが一体又は一体的に構成されている。  
すなわちアーム大径部１３７とアーム小径部１３８とは、一部材で構成する、或いはアーム大径部１３７に対してアーム小径部１３８を嵌合する等して事実上一体に構成したものである。
【０１１９】
アーム小径部１３８には、その軸方向のベース体５側端に、上述した実施形態のスライド軸３７のように頭部３７ｂ（図７（ｂ）参照）が形成されておらず、図１３（ａ），（ｂ）に示すにように雄ネジ部１３８ａが形成されており、該雄ネジ部１３８ａに螺合する上記の弾性力調節ナット１３５を備えている（図１３（ａ）参照）。
【０１２０】
そして弾性力調節ナット１３５をアーム小径部１３８に対して回動させることにより、その回動方向、回動具合に応じて押さえ板５４とガイドブッシュ５１との間において介在するバネ５３の長さを、該押さえ板５４を介して調整することができる。すなわち、バネ５３の伸縮量（弾性力）を調整することができる。
【０１２１】
このように本実施形態の中間前側伸縮アーム１３３は、バネ５３の弾性力の調整機能を有しつつも、アーム大径部１３７とアーム小径部１３８とを一体化することで、図７（ａ），（ｂ）に示した中間前側伸縮アーム１３３のように、アーム長調節ナット５２やダブルナット５５（５５ａ，５５ｂ）を省略した構成として部品点数を減らして、中間前側伸縮アーム１３３全体としてシンプルかつコンパクトな構成を実現することができる。
【符号の説明】
【０１２２】
１，１Ａ，１Ｂ…スノーボード用制御装置
２…制御手段
３…ビンディング取付プレート
５…ベース体
１０…前端連結部
１３…スライド軸
２０…後端連結部
３０，１３０…中間前側連結部
３３，１３３…中間前側伸縮アーム
４０…中間後側連結部
４３…中間後側アーム
５３…バネ
５５ａ，１３５…弾性力調整ナット
６１…捩り制御プレート
７１…捩り制御ビーム
１３６…中間前側伸縮アーム本体部
【図１】
2018122967.tif 000003
【図２】
2018122967.tif 000004
【図３】
2018122967.tif 000005
【図４】
2018122967.tif 000006
【図５】
2018122967.tif 000007
【図６】
2018122967.tif 000008
【図７】
2018122967.tif 000009
【図８】
2018122967.tif 000010
【図９】
2018122967.tif 000011
【図１０】
2018122967.tif 000012
【図１１】
2018122967.tif 000013
【図１２】
2018122967.tif 000014
【図１３】
2018122967.tif 000015
【手続補正書】
【提出日】平成29年11月7日(2017.11.7)
【手続補正１】
【補正対象書類名】明細書
【補正対象項目名】全文
【補正方法】変更
【補正の内容】
【発明の詳細な説明】
【技術分野】
【０００１】
この発明は、スノーボードのボードとビンディングとの間に介在させるベース体を備えるとともに、ボードとベース体とに連結され、ベース体に対して所定の可動範囲を許容しながらボードの撓みを制御する連結部を備えたスノーボード用制御装置に関する。
【背景技術】
【０００２】
一般にスノーボードのボードは、雪面等の滑走面を滑走時の機動性や衝撃吸収性を確保するために、滑走面の形状に応じて撓み変形し易いように可撓性を有して設計されている。
【０００３】
一方、スノーボードのビンディングおよびその取付具は、ボーダーの操作力を受け止めて該操作力がボードに直接的に伝達し易いようにスノーボードに強固に固定されるとともに高剛性となるように設計されている。
【０００４】
このようにスノーボードのボードと、ビンディングおよびその取付具とは相反する特性を有するため、従来のようにビンディングを、その取付具を介してボードに装着した場合、ボードの可撓性が減殺されるという課題があった。このことはスキーにおいてスキー板とビンディングとの間においても同様の課題があった。
【０００５】
このような課題に対して特許文献１のスキービンディング搭載用プラットフォームに例示されるように、スキービンディングをスキー板に直接取り付けないで制御装置（プラットフォーム）を介して取り付けたものが提案されている。
【０００６】
特許文献１のものは、スキー（５）の上面へ装着する弾性変形可能なベースプレート（１１）と、スキービンディングの前部を位置決めする前部位置決めプレート（１２）と、後部を位置決めする後部位置決めプレート（１３）とを備えている。前部位置決めプレート（１２）は、その前後各側でベースプレート（１１）に一対のレバーを介して枢動可能に接続され、該ベースプレート（１１）の前方所定位置の上面に支持されている。後部位置決めプレート（１３）は、その前後各側でベースプレート（１１）に一対のレバーを介して枢動可能に接続され、該ベースプレート（１１）の後方所定位置の上面に支持されている。
【０００７】
すなわち、特許文献１のものは、ベースプレート（１１）とスキー（５）の上面とを連結する複数の連結部は、全てベースプレート（１１）が連結部材としてのレバーを介してスキー（５）に対して連結した構成を採用している。
【０００８】
しかしながら特許文献１の構成においては、複数設けた各連結部材が夫々の可動範囲の下で方々に自由に可動するとユーザとボード（スキー板）との一体性が損なわれるため、特許文献１のような制御装置を介してボードをコントロールすることがかえって困難になることが懸念され、改善の余地があった。
【先行技術文献】
【特許文献】
【０００９】
【特許文献１】欧州特許第２２８５４５７号明細書（ＥＰ２２８５４５７  Ｂ１）
【発明の概要】
【発明が解決しようとする課題】
【００１０】
そこでこの発明は、スノーボードの可撓性が減殺されることなく、コントロール性を高めることができるスノーボード用制御装置の提供を目的とする。
【課題を解決するための手段】
【００１１】
この発明は、スノーボードのボードの上面に設置されるベース体と、該ベース体の長手方向の前後各側に、ビンディングを取付け可能に備えたビンディング取付部と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定し、上記連結部は、上記ベース体の長手方向の前後両端のうち少なくとも一端と、該ベース体の長手方向の中間に設けられ、上記ベース体の少なくとも上記一端に設けた上記連結部を、上記直接連結部に設定したものである。
【００１２】
上記構成によれば、スノーボードの可撓性が減殺されることなくコントロール性を高めることができる。
【００１３】
また、ボードを効率よく制御することが可能となり、ボードのコントロール性をより高めることができる。
【００１４】
またこの発明は、スノーボードのボードの上面に設置されるベース体と、該ベース体の長手方向の前後各側に、ビンディングを取付け可能に備えたビンディング取付部と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定し、少なくとも１つの上記間接連結部は、該間接連結部の長手方向に伸縮する伸縮連結部材を備えるとともに、該伸縮連結部材の伸縮抵抗に基づいて上記ボードの撓みを制御する伸縮抵抗付与手段を備え、上記伸縮抵抗付与手段により付与する上記伸縮連結部材の伸縮抵抗の大きさを調整する伸縮抵抗調整手段を備えることができる。
【００１５】
上記構成によれば、間接連結部は、伸縮抵抗付与手段を備えた伸縮連結部材により構成したため、滑走時に伸縮連結部材が伸縮抵抗付与手段によって衝撃を吸収することができるため、衝撃吸収効果を高めることができる。
【００１６】
さらに、滑走時にボードが撓み変形しても、該ボードは、伸縮抵抗付与手段による伸縮抵抗力が付勢されることで、連続して続く滑走面の滑走に備えてボード体を元の形状に復元させ易くなるため、起伏の激しい滑走面であっても撓み変形したボードの追従性を高めることができ、結果的にボードのコントロール性を高めることができる。
【００１７】
上記伸縮抵抗付与手段は、バネやゴム等の弾性体、ダンパ、或いはこれらの両方を備えた構成を採用することができる。
【００１８】
さらに、滑走面の形状、滑走条件や各ボーダー（ユーザー）の適性、レベルに応じて伸縮抵抗調整手段によって伸縮連結部材の伸縮抵抗の大きさを調整することができるため、ボードのコントロール性をより高めることができる。
【００１９】
またこの発明は、スノーボードのボードの上面に設置されるベース体と、該ベース体の長手方向の前後各側に、ビンディングを取付け可能に備えたビンディング取付部と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定し、上記ベース体と上記連結部とで構成される制御手段を一対備え、該一対の制御手段を上記ボードの上面の幅方向に並設することができる。
【００２０】
上記構成によれば、一対の制御手段をボードの上面の幅方向に並設することにより、ボードの幅方向の両側において、ボードの撓みを制御することが可能となり、安定性およびコントロール性を高めることができる。
【００２１】
またこの発明の態様として、上記一対の制御手段に備えた夫々の上記ベース体の幅方向の間に、該ベース体の長手方向に延びる捩り制御手段を備えることができる。
【００２２】
上記構成によれば、滑走時において長手方向に延びる捩り制御手段を軸としてこの軸回りの捩じりについても制御することができるため、ターンしながらスムーズに滑走することができる。
【００２３】
またこの発明の態様として、上記一対の制御手段の幅方向の間に、これら一対の制御手段に備えた両ベース体を幅方向に接合するベース体接合部材を備え、上記ベース体接合部材を、上記ベース体の長手方向の前後両側に備えた上記ビンディング取付部材に設定することができる。
【００２４】
上記構成によれば、上記一対の制御手段の幅方向の間に、ベース体接合部材としてのビンディング取付部材を備えることにより、一対の制御手段の夫々によってユーザの体重を、ビンディング取付部材を介してバランスよく支持することができる。また、一対の制御手段の接合をビンディング取付部材によって賄うことができるため、一対の制御手段を接合するための接合部材を別途備える必要がなく部品点数を省くことができる。
【発明の効果】
【００２５】
スノーボードの可撓性が減殺されることなく、コントロール性を高めることができるスノーボード用制御装置を提供することができる。
【図面の簡単な説明】
【００２６】
【図１】本実施形態のスノーボード用制御装置を底面側から見た斜視図。
【図２】本実施形態のスノーボード用制御装置の平面図。
【図３】図２中のＡ−Ａ線縦断面図。
【図４】本実施形態のスノーボード用制御装置の図３に対応する作用説明図。
【図５】スノーボード用制御装置の長手方向の中間部を拡大して示した構成及び作用説明図。
【図６】スノーボード用制御装置の長手方向の両端部を拡大して示した構成及び作用説明図。
【図７】中間前側連結部を幅方向中間位置の縦断面により示した構成及び作用説明図。
【図８】中間後側連結部を幅方向中間位置の縦断面により示した構成及び作用説明図。
【図９】他の実施形態のスノーボード用制御装置を底面側から見た斜視図。
【図１０】他の実施形態のスノーボード用制御装置の平面図。
【図１１】さらに他の実施形態のスノーボード用制御装置の平面図。
【図１２】さらに他の実施形態のスノーボード用制御装置の説明図。
【図１３】他の実施形態の中間前側連結部の説明図。
【発明を実施するための形態】
【００２７】
この発明の一実施形態を、以下図面を用いて説明する。  
（第１実施形態）
図１は本実施形態のスノーボード用制御装置の底面側から見た斜視図、図２は本実施形態のスノーボード用制御装置をボードに装着した状態を示す平面図、図３は図２中のＡ−Ａ線縦断面図、図４は本実施形態のスノーボード用制御装置の図３に対応する作用説明図、図５（ａ）は図３における長手方向の中間部の拡大図、図５（ｂ）は図４における長手方向の中間部の拡大図、図６（ａ）は図３における長手方向の両端部の拡大図、図６（ａ）は図４における長手方向の両端部の拡大図、図６（ｃ）はボードが図４に示す向きと逆向きに撓んだときのスノーボード用制御装置の長手方向の両端部の拡大図、図７（ａ）は中間前側連結部の幅方向の中間位置の縦断面図であって、中間前側伸縮アームの作用説明図、図７（ｂ）はベース体に対して中間前側伸縮アームが傾いた状態における、図７（ａ）に対応して示した作用説明図、図８（ａ）は中間後側連結部の幅方向の中間位置の縦断面図であって、中間後側アームの作用説明図、図８（ｂ）はベース体に対して中間後側アームが傾いた状態における、図８（ａ）に対応して示した作用説明図である。
【００２８】
なお、図中、矢印Ｆは装置前方を示し、矢印Ｒは装置後方を示し、矢印Ｕは装置上方を示し、矢印Ｘは後記のアーム軸方向を示す。
【００２９】
図１〜図４に示すように、第１実施形態のスノーボード用制御装置１（以下、「制御装置１」という）は、幅方向に並設される一対の制御手段２，２と、これら一対の制御手段２，２の幅方向の間に介在し、ビンディング１００（図３参照）を取付け可能に備えたビンディング取付プレート３と、連結プレート４とを備えている。
【００３０】
ビンディング取付プレート３は、一対の制御手段２，２の幅方向の間における長手方向（前後方向）の前後各側に配置されている。この状態でビンディング取付プレート３は、連結プレート４を介して一対の制御手段２，２に一体に連結されている。
【００３１】
具体的には、連結プレート４は、制御装置１の幅方向の全体に亘って延びる短冊状に形成されており、前後各側のビンディング取付プレート３の長手方向の前端と後端に相当する部位において、一対の制御手段２，２とビンディング取付プレート３とに架け渡すように裏面側から配置されている。そして連結プレート４と一対の制御手段２，２の夫々とが底面視でオーバーラップする部分をボルトおよびナットにより締結固定するとともに、連結プレート４とビンディング取付プレート３とが底面視でオーバーラップする部分をボルトおよびナットにより締結固定している。これにより一対の制御手段２，２は、ビンディング取付プレート３および連結プレート４を介して互いに一体に接合されている。
【００３２】
一対の制御手段２，２は、互いに同一の構成であるため、制御手段２の構成を幅方向の一方の制御手段２の構成に基づいて説明する。
【００３３】
制御手段２は、スノーボード１０１のボード１０２の上面１０２ｕ（図２、図３参照）に設置されるベース体５と、該ベース体５とボード上面１０２ｕとを連結することで、ベース体５に対してボード１０２の所定の可動範囲を許容しつつ該ボード１０２の撓みを制御可能とする複数の連結部１０，２０，３０，４０とを備えている。
【００３４】
ベース体５は、平面視縦長の矩形状に形成された板状のベースプレート５ａと、ベースプレート５ａの幅方向の両端には側壁プレート５ｂ（図１参照）を備え、いずれも軽量かつ高剛性の炭素繊維を用いた成形により一体に形成されている。この側壁プレート５ｂは、ベースプレート５ａの幅方向の両端において、ベースプレート５ａの下面に対して下方へ立設するように接合されている。これにより側壁プレート５ｂは、ベース体５の幅方向の両側において長手方向の略全長に亘って延びる縦壁状に形成されている。なお、ベース体５の幅方向内側の側壁プレート５ｂには、幅方向に配置した連結プレート４が横切るように該連結プレート４を挿通する挿通孔５ｂａ（図１参照）が形成されている。
【００３５】
さらに図１、図３に示すように、ベース体５の下部には、ベースプレート５ａの下面と幅方向の両側の側壁プレート５ｂの幅方向内面とで、連結部１０，２０，３０，４０の少なくとも一部を収容可能に下方へ向けて開口した底浅の収容空間５Ａが形成されている。
【００３６】
連結部１０，２０，３０，４０は、ベース体５の長手方向（前後方向）の前端に備えた前端連結部１０と、後端に備えた後端連結部２０と、中間位置の前側に備えた中間前側連結部３０と、中間位置の後側に備えた中間後側連結部４０とを備えている。
【００３７】
図６（ａ）に示すように、前端連結部１０は、ベース体５の前端においてボルト等で締結固定された前端ベース体取付部材１１と、非撓み変形状態のボード上面１０２ｕとの対向部位にボルト等で締結固定される前端ボード取付部材１２と、スライド軸１３と、回転軸１４を備えている。
【００３８】
前端ベース体取付部材１１には、その幅方向の両側において長手方向に貫通形成された貫通孔１１ａにガイドブッシュ１５が嵌合され、スライド軸１３は、前端ベース体取付部材１１に、該ガイドブッシュ１５を介して長手方向にスライド自在に支持されている。
【００３９】
スライド軸１３の後端は、前端ベース体取付部材１１の後面に当接する抜け止め用の鍔状のストッパ１６を備えている。スライド軸１３の前端は、幅方向に延びる回転軸１４を介して前端ボード取付部材１２の後部に回動自在に連結されている。
【００４０】
前端ボード取付部材１２は、前端ベース体取付部材１１に対してスライド軸１３を介して長手方向にスライド（伸縮）可能であるとともに幅方向に延びる回転軸１４を介して回転軸１４回りに回転可能に形成されている。
【００４１】
要するに前端連結部１０は、上述したように、前端ボード取付部材１２が前端ベース体取付部材１１に対して回転軸１４を介して回転可能に、直接的に連結されているのではなく、スライド軸１３を介して間接的に連結された構成としている。
【００４２】
図６（ａ）に示すように、後端連結部２０は、ベース体５の後端においてボルト等で締結固定された後端ベース体取付部材２１と、非撓み変形状態のボード上面１０２ｕとの対向部位にボルト等で締結固定される後端ボード取付部材２２と、回転軸２３とを備えている。
【００４３】
後端ベース体取付部材２１の後部は、幅方向に延びる回転軸２３を介して後端ボード取付部材２２の前部に回動自在に連結されている。
【００４４】
要するに後端連結部２０は、上述したように、後端ボード取付部材２２が回転軸２３を介して回動可能に後端ベース体取付部材２１に対して直接連結された構成としている。
【００４５】
図５（ａ）、（ｂ）、図７（ａ）、（ｂ）に示すように、中間前側連結部３０は、ベース体５の中間前側位置においてボルト等で締結固定された中間前側ベース体取付部材３１と、非撓み変形状態のボード上面１０２ｕとの対向部位にボルト等で締結固定される中間前側ボード取付部材３２と、中間前側ベース体取付部材３１と中間前側ボード取付部材３２との間に伸縮可能に介在する中間前側伸縮アーム３３と、ベース体側回転軸３４と、ボード側回転軸３５と、を備えている。なお、図５（ａ）、（ｂ）、図７（ａ）、（ｂ）中の符号６０は、中間前側ボード取付部材３２をボード１０２にボルト締結する際に工具を差し込むための作業用孔である。
【００４６】
中間前側伸縮アーム３３は、底面視略矩形の枠状に形成された枠状部材３６（図１参照）と、スライド軸３７と、筒状軸受け部材３８と、ガイドブッシュ５１とを備えている。
【００４７】
詳述すると、スライド軸３７は、枠状部材３６のボード側辺３６ａにアーム軸方向に貫通形成された貫通孔に嵌合されたガイドブッシュ５１にベース体５側からボード１０２側に挿通されたボルトで形成されている。すなわちスライド軸３７は、図７（ａ）（ｂ）に示すように、ベース体５側の端部に頭部３７ｂが設けられるとともに、枠状部材３６のボード側辺３６ａからのボード１０２側への突出部分の先端部には雄ネジ部３７ａが形成されている。ただし、スライド軸３７の頭部３７ｂから雄ネジ部３７ａとの間は、外周面に雄ネジ部３７ａが形成されていない寸胴な円柱状（丸棒状）に形成されている。
【００４８】
スライド軸３７は、雄ネジ部３７ａが形成されていない丸棒部分（ネジ非形成部）がガイドブッシュ５１に挿通されているため、該ガイドブッシュ５１に対してアーム軸方向にスライド可能に保持されている。
【００４９】
中間前側伸縮アーム３３のボード１０２側には、筒状軸受け部材３８を備えている。この筒状軸受け部材３８は、ボード１０２側端部が閉塞され、ベース体５側端部が開口した、スライド軸３７を挿通可能な筒状に形成されており、その内周面には、スライド軸３７の雄ネジ部３７ａと螺合する雌ネジ部３８ａが形成されている。
【００５０】
そしてスライド軸３７の先端側部分は、筒状軸受け部材３８に雄ネジ部３７ａと雌ネジ部３８ａとが螺合した状態で挿通されている。
【００５１】
さらに図５（ａ）、（ｂ）、図７（ａ）、（ｂ）に示すように、中間前側伸縮アーム３３には、中間前側伸縮アーム３３の伸縮長さ（スライド軸３７のスライド長さ）を調整する手段としてのアーム長調節ナット５２を備えている。このアーム長調節ナット５２は、筒状軸受け部材３８とガイドブッシュ５１との間においてスライド軸３７の雄ネジ部３７ａに螺合させた状態で介在している。
【００５２】
そしてアーム長調節ナット５２を筒状軸受け部材３８に対して回動させることにより、筒状軸受け部材３８に対してスライド軸３７をスライドさせることができ、中間前側伸縮アーム３３の長さ調整をすることができる。
【００５３】
さらに同図に示すように、中間前側伸縮アーム３３は、ガイドブッシュ５１とスライド軸３７の頭部３７ｂとの間に、スライド軸３７を囲繞するコイル状のバネ５３と、バネ５３をそのベース体５側端からボード１０２側へ押さえ付けて保持する押さえ板５４と、バネ５３の伸縮量を調整するダブルナット５５（５５ａ，５５ｂ）を備えている。
【００５４】
この押さえ板５４は、スライド軸３７の頭部３７ｂとバネ５３との間に介在する円環状の板（ワッシャ）により形成され、枠状部材３６のボード側辺３６ａの側へバネ５３を自然長から圧縮状態となるように押さえ付ける位置でスライド軸３７に一体に取り付けられている。
【００５５】
これにより、スライド軸３７は通常時においては、アーム軸方向のベース体５側に付勢された状態とされている。
【００５６】
バネ５３は、中間前側伸縮アーム３３の伸縮抵抗を付与する伸縮抵抗付与手段であり、スライド軸３７と同軸になるように配置されている。そしてバネ５３は、スライド軸３７がガイドブッシュ５１に対してボード１０２側へスライドしようとしたときに例えば、さらに圧縮変形することに伴って伸縮抵抗としての弾性力（復元力）をスライド軸３７に付与することができる。
【００５７】
ダブルナット５５は、アーム長調節ナット５２とガイドブッシュ５１との間においてスライド軸３７の雄ネジ部３７ａに螺合させた状態で介在する２つのナットであり、スライド軸３７回りの回動に伴ってバネ５３長を変化させることにより、バネ５３の弾性力の大きさを調整する弾性力調整ナット５５ａと、弾性力調整ナット５５ａが回動しないように固定する固定ナット５５ｂと、で構成されている。弾性力調整ナット５５ａはベース体５側に備え、固定ナット５５ｂはボード１０２側に備えている。
【００５８】
上述した中間前側ボード取付部材３２、筒状軸受け部材３８、アーム長調節ナット５２、ダブルナット５５および押さえ板５４は、スライド軸３７が枠状部材３６のボード側辺３６ａに備えたガイドブッシュ５１に対してアーム軸方向へスライド時に該スライド軸３７とともに一体にスライドする。
【００５９】
また上述したように、バネ５３の付勢力（復元力）に抗して中間前側伸縮アーム３３がボード１０２側へ伸長した際には、バネ５３がより圧縮されることで中間前側伸縮アーム３３には、バネ５３のより大きな付勢力（復元力）が作用することになる。
【００６０】
なお、スライド軸３７は通常時においては、上述したように、アーム軸方向のベース体５側に付勢された状態とされているため、弾性力調整ナット５５ａのベース体５側の端面とガイドブッシュ５１のボード１０２側端面とが密着した状態となるが（図７（ａ）参照）、バネ５３の付勢力（復元力）に抗して中間前側伸縮アーム３３がボード１０２側へ伸長した際には、スライド軸３７のボード１０２側へのスライドに伴って、弾性力調整ナット５５ａのベース体５側の端面とガイドブッシュ５１のボード１０２側端面とが離間した状態となる（図５（ｂ）、図７（ｂ）参照）。
【００６１】
中間前側伸縮アーム３３の前部、すなわち枠状部材３６のベース体側辺３６ｂは、幅方向に延びるベース体側回転軸３４を介して中間前側ベース体取付部材３１の後部に回動自在に連結されている。一方、中間前側伸縮アーム３３の後部、すなわち筒状軸受け部材３８のボード１０２側端は、幅方向に延びるボード側回転軸３５を介して中間前側ボード取付部材３２の前部に回動自在に連結されている。
【００６２】
要するに中間前側連結部３０は、上述したように、中間前側ボード取付部材３２が、ベース体側回転軸３４およびボード側回転軸３５を介して回動可能であるとともに、中間前側伸縮アーム３３を介して中間前側ベース体取付部材３１に対して間接的に連結された構成としている。
【００６３】
図５（ａ）、（ｂ）、図８（ａ）、（ｂ）に示すように、中間後側連結部４０は、ベース体５の中間後側位置においてボルト等で締結固定された中間後側ベース体取付部材４１と、非撓み変形状態のボード上面１０２ｕとの対向部位にボルト等で締結固定される中間後側ボード取付部材４２と、中間後側ベース体取付部材４１と中間後側ボード取付部材４２との間に介在する中間後側アーム４３と、ベース体側回転軸４４と、ボード側回転軸４５と、を備えている。
【００６４】
中間後側アーム４３は、中間前側伸縮アーム３３と同様に、底面視略矩形の枠状に形成された枠状部材３６と、スライド軸１３７と、筒状軸受け部材３８と、ガイドブッシュ５１と、アーム長調節ナット５２と、ダブルナット５５とを備えているが、本実施形態においては中間後側アーム４３に備えたスライド軸１３７は、中間前側伸縮アーム３３に備えたスライド軸３７とは異なり、アーム軸方向へガイドブッシュ５１に対してスライド可能な長さを有しない短尺なボルトを採用している。このため、本実施形態の中間後側アーム４３は、アーム軸方向へ伸縮しない構成としている。
【００６５】
なお、中間後側アーム４３のスライド軸１３７は、中間前側伸縮アーム３３のスライド軸３７に対して長さが短尺であるだけで基本的な構成は同じであり、また中間後側アーム４３に備えた筒状軸受け部材３８、ガイドブッシュ５１と、アーム長調節ナット５２およびダブルナット５５は、中間前側伸縮アーム３３のそれと同様の構成であるためその説明は省略する。
【００６６】
さらに本実施形態においては、中間後側アーム４３は、ガイドブッシュ５１と、スライド軸１３７の頭部１３７ｂとの間にバネ５３を介在させておらず、該中間後側アーム４３自体に伸縮時の抵抗を付与する手段を備えていない構成としている。
【００６７】
ただし、中間後側アーム４３についても中間前側伸縮アーム３３と同様に、スライド軸１３７がアーム軸方向へスライド可能に構成したり、バネ５３を備えて該バネ５３の弾性力により、中間後側アーム４３自体に伸縮抵抗を付与可能な構成を採用してもよい。この場合には、伸縮させたり、その伸縮時の抵抗を付与できない現状の中間後側アーム４３を、別途備えた、中間前側伸縮アーム３３と同様に構成したパーツと必要に応じて交換するだけで、中間後側アーム４３についても容易に中間後側伸縮アーム（図示省略）として構成することができる。
【００６８】
中間後側アーム４３の後部、すなわち枠状部材３６のベース体側辺３６ｂは、幅方向に延びるベース体側回転軸４４を介して中間後側ベース体取付部材４１の前部に回動自在に連結されている。一方、中間後側アーム４３の前部、すなわち筒状軸受け部材３８のボード１０２側端は、幅方向に延びるボード側回転軸４５を介して中間後側ボード取付部材４２の後部に回動自在に連結されている。
【００６９】
要するに中間後側連結部４０は、上述したように、中間後側ボード取付部材４２がベース体側回転軸４４およびボード側回転軸４５を介して回動可能であるとともに、中間後側アーム４３を介して中間後側ベース体取付部材４１に対して間接的に連結された構成としている。
【００７０】
続いて上述した制御装置１の作用について説明する。  
図６（ｂ）に示すように、ボード１０２がその長手方向の中間位置が下方に凸となる逆アーチ状（図４参照）に変形した場合には、前端連結部１０は、前端ベース体取付部材１１に対して前端ボード取付部材１２が、その前端が前方斜め上方を向くように回動する。さらにボード１０２が逆アーチ形状に大きく変形した場合には前端連結部１０は、スライド軸１３が後方へ退避するようにスライドする。
【００７１】
一方、図６（ｃ）に示すように、ボード１０２がその長手方向の中間位置が上方に凸となるアーチ状に変形した場合には、前端連結部１０は、前端ベース体取付部材１１に対して前端ボード取付部材１２が、その前端が前方斜め下方を向くように回動する。さらにボード１０２がアーチ形状に大きく変形した場合には前端連結部１０は、スライド軸１３が前方へ突き出すようにスライドする。
【００７２】
このように、前端連結部１０は、そのボード１０２の撓み具合に応じて前端ボード取付部材１２が回動するとともにスライドすることで、ボード１０２の変形に追従しながらその変形を許容しつつ、ボード１０２の前側部位が過度に撓んだり、バタついたりしないように制御することができる。
【００７３】
また図６（ｂ）に示すように、ボード１０２が逆アーチ状に変形した場合には、後端連結部２０は、後端ベース体取付部材２１に対して後端ボード取付部材２２が、その後端が後方斜め上方を向くように回動する一方で、図６（ｃ）に示すように、ボード１０２がアーチ状に変形した場合には、後端ベース体取付部材２１に対して後端ボード取付部材２２が、その後端が後方斜め下方を向くように回動する。
【００７４】
このように、後端連結部２０は、ボード１０２が変形しても、後端ボード取付部材２２の回動によってのみボード１０２の変形に追従することで、その他の連結部１０，３０，４０がよりアクティブに変位することで全体として制御困難になることを回避し、制御装置１を介してボード１０２を制御する際の基準点として機能させることができる。これにより、ボード１０２と制御装置１との一体性を保ち易くなりコントロール性を高めることができる。
【００７５】
また、中間前側連結部３０および中間後側連結部４０は、図５（ｂ）、図７（ｂ）、図８（ｂ）に示すように、ボード１０２が逆アーチ状に変形した際には、ボード１０２の長手方向の中間位置はベース体５に対して下方へ離間するように変形しようとするが、このようなボード１０２の形状に従って夫々に備えた中間前側伸縮アーム３３、中間後側アーム４３が積極的に下方に突き出すように傾くことでボード１０２がベース体５に対して離間することを許容しつつ制御装置１を介してボード１０２を制御することができる。
【００７６】
すなわち、ボーダーからの荷重を受け止めるため、高剛性で形成されたビンディング取付プレート３と、撓み変形し易いボード１０２との間に制御装置１が介在することでビンディング取付プレート３とボード１０２との相反する特性を両立することができる。
【００７７】
特に、本実施形態における中間前側連結部３０は、バネ５３の弾性力が付勢された状態で伸縮する中間前側伸縮アーム３３を備えている（図７（ｂ）参照）。これにより、中間前側連結部３０は、ボード１０２がアーチ状又は逆アーチ状に撓んだ場合であっても、伸縮性に優れたバネ５３が伸長することで、ボード１０２の適切な撓みを許容する一方で、所定以上ボード１０２が撓んだ場合にはバネ５３の弾性力（復元力）を活かしてボード１０２が過度に撓むことを阻止するとともに、ボード１０２が撓んだ形状から元の形状に素早く復帰させることで滑走面に対する追従性を高めることができる。しかも、ボード１０２と制御装置１との一体性を確保することができ、結果的に制御装置１を介してボード１０２のコントロール性を保つことができる。
【００７８】
換言すると、ボード１０２が逆アーチ状に変形した際には、上述したようなボード１０２の長手方向の中間位置がベース体５に対して大きく下方へ離間するように変形しようとするため、このようなボード１０２の長手方向の中間位置において、中間前側連結部３０が有する優れた伸縮性と弾力性とを活かすことができ、上述した効果を効果的に得ることができる点で有効である。
【００７９】
上述したように、制御装置１は、前端連結部１０、後端連結部２０、中間前側連結部３０および中間後側連結部４０によって、後端連結部２０を基準として協働でボード１０２の撓みを制御することができる。
【００８０】
上述した本実施形態の制御装置１は、スノーボード１０１のボード上面１０２ｕに設置されるベース体５と、該ベース体５の長手方向の前後各側に、ビンディング１００を取付け可能に備えたビンディング取付プレート３と、ベース体５とボード上面１０２ｕとを所定の可動範囲を許容して連結することで該ボード１０２の撓みを制御可能とする複数の連結部１０，２０，３０，４０と、で構成されるスノーボード用制御装置であって、連結部１０，２０，３０，４０は、ベース体５がボード１０２に対して回動可能に直接連結した直接連結部としての後端連結部２０と、ベース体５が連結部材（スライド軸１３、中間前側伸縮アーム３３および中間後側アーム４３の夫々）を介してボード１０２に対して連結した間接連結部としての前端連結部１０、中間前側連結部３０および中間後側連結部４０とで構成されたものである。
【００８１】
上記構成によれば、スノーボード１０１の可撓性が減殺されることなくコントロール性を高めることができる。
【００８２】
詳述すると、上記構成によれば、ビンディング取付プレート３とボード１０２との間にベース体５を介在させ、ベース体５とボード上面１０２ｕとを複数の連結部１０，２０，３０，４０によって所定の可動範囲を許容して連結することでビンディング取付プレート３をボード１０２に直接装着した従来のタイプよりもボード１０２の撓みが剛性の高いビンディング取付プレート３によって減殺されることを解消することができる。
【００８３】
しかも、上記構成によれば、複数の連結部１０，２０，３０，４０のうち後端連結部２０を、ベース体５をボード１０２に直接連結する直接連結部に設定するとともに、それ以外の連結部１０，２０，３０を、連結部材１３，３３，４３を介してベース体５をボード１０２に連結する間接連結部に設定したため、後端連結部２０を基準としてその他の間接連結部１０，２０，３０が可動範囲の下で可動しながらボード１０２の撓みを制御することができる。
【００８４】
よって、全ての連結部が直接連結部に設定した場合のように、複数設けた各連結部に備えた連結部材が夫々の可動範囲の下で方々に自由に可動することにより、ベース体５を介してボード１０２をコントロールするコントロール性が損なわれることがないため、スノーボード１０１の可撓性が減殺されることなくコントロール性を高めることができる。
【００８５】
この発明の態様として、連結部は、ベース体５の長手方向の前後両端と、該ベース体５の長手方向の中間に設けられ、ベース体５の後端に設けた後端連結部２０を、直接連結部に設定したものである。
【００８６】
上記構成によれば、ボード１０２を効率よく制御することが可能となり、ボード１０２のコントロール性をより高めることができる。
【００８７】
具体的には、上記構成によれば、連結部１０，２０，３０，４０は、ベース体５の長手方向の前後両端と、該ベース体５の長手方向の中間に設けたため、ベース体５の長手方向において少ない連結部によりボード１０２を効率よく制御することが可能となる。
【００８８】
さらにベース体５の長手方向の後端に設けた後端連結部２０を、直接連結部に設定することにより、該直接連結部を基準点としてボード１０２の撓みを効果的に制御することが可能となりボード１０２のコントロール性をより高めることができる。
【００８９】
またこの発明の態様として、中間前側連結部３０は、アーム軸方向に伸縮する伸縮連結部材としての中間前側伸縮アーム３３を備えるとともに、該中間前側伸縮アーム３３の弾性力に基づいてボード１０２の撓みを制御する伸縮抵抗付与手段としてのバネ５３を備えたものである。
【００９０】
上記構成によれば、中間前側連結部３０は、バネ５３を備えた中間前側伸縮アーム３３により構成したため、滑走時に中間前側伸縮アーム３３がバネ５３によって衝撃を吸収することができるため、衝撃吸収効果を高めることができる。
【００９１】
さらに、滑走時にボード１０２が撓み変形しても、該ボード１０２は、バネ５３による弾性力が付勢されることで、連続して続く次の滑走面の滑走に備えてボード１０２体を元の形状に復元させ易くなるため、起伏の激しい滑走面であっても撓み変形したボード１０２の追従性を高めることができ、結果的にボード１０２のコントロール性を高めることができる。
【００９２】
またこの発明の態様として、バネ５３により付与する中間前側伸縮アーム３３の弾性力の大きさを調整する伸縮抵抗調整手段としての弾性力調整ナット５５ａを備えたものである。
【００９３】
上記構成によれば、滑走条件や各ボーダー（ユーザー）の適性、レベルに応じて伸縮抵抗調整手段によって伸縮連結部材の伸縮抵抗の大きさを調整することができるため、ボード１０２のコントロール性をより高めることができる。
【００９４】
またこの発明の態様として、ベース体５と連結部１０，２０，３０，４０とで構成される制御手段２を一対備え、該一対の制御手段２，２をボード上面１０２ｕの幅方向に並設したものである。
【００９５】
上記構成によれば、一対の制御手段２，２をボード上面１０２ｕの幅方向に並設することにより、ボード１０２の幅方向の両側において、ベース体５との間で連結部１０，２０，３０，４０により所定の可動範囲の下でボード１０２の撓みを制御することが可能となり、安定性およびコントロール性を高めることができる。
【００９６】
またこの発明の態様として、一対の制御手段２，２の幅方向の間に、これら一対の制御手段２，２に備えた両ベース体５，５を幅方向に接合するベース体接合部材を備え、ベース体接合部材をビンディング取付プレート３に設定したものである。
【００９７】
上記構成によれば、一対の制御手段２，２の幅方向の間に、ベース体接合部材としてのビンディング取付プレート３を備えることにより、一対の制御手段２，２の夫々によってユーザの体重をビンディング取付プレート３を介してバランスよく支持することができる。また、一対の制御手段２，２の連結をビンディング取付プレート３によって賄うことができるため、一対の制御手段２，２を連結するための連結部材を別途備える必要がなく部品点数を省くことができる。
【００９８】
この発明のビンディング取付部は、本実施例のビンディング取付プレート３に対応し、以下同様に、  
複数の連結部は、前端連結部１０、後端連結部２０、中間前側連結部３０および中間後側連結部４０に対応し、  
間接連結部は、前端連結部１０、中間前側連結部３０および中間後側連結部４０に対応し、  
直接連結部は、後端連結部２０に対応し、  
連結部材は、スライド軸１３、中間前側伸縮アーム３３および中間後側アーム４３に対応し、  
伸縮連結部材は、中間前側伸縮アーム３３に対応し、  
伸縮抵抗付与手段は、バネ５３に対応し、  
伸縮抵抗調整手段は、弾性力調整ナット５５ａに対応し、  
ベース体の長手方向の前後両端のうち少なくとも一端は、ベース体５の後端に対応し、  
後記の捩り制御手段６１は、捩り制御プレート６１又は捩り制御ビーム７１に対応するも、この発明は、上述の実施例の構成のみに限定されるものではない。
【００９９】
例えば、図９、図１０に示す制御装置１Ａのように、一対の制御手段２，２に備えた夫々のベース体５の幅方向の間に、前後方向に延びる捩り制御手段２としての捩り制御プレート６１を備えてもよい。
【０１００】
具体的には、捩り制御プレート６１は、ベース体５と同じ炭素繊維で形成された長細いプレートであり、平面視で、前後各側のビンディング取付プレート３，３と、幅方向各側の制御手段２，２との間に構成される空間に、一方の板面が上方を向くように長手方向に沿って配置されている。
【０１０１】
この捩り制御プレート６１の前端は、該前端と対向する連結プレート４側から後方へ延設する取付片６２にボルト等で接合固定され、捩り制御プレート６１の後端は、該後端と対向する連結プレート４側から前方へ延設する取付片６２にボルト等で接合固定されている。これにより捩り制御プレート６１は、その幅方向の中心軸が一対の制御手段２，２の幅方向の中心軸と一致するように、前後各側の連結プレート４，４に架け渡されている。
【０１０２】
上記構成によれば、制御装置１に長手方向の一端と後端とが中心軸回りにおいて異なる方向に変形させる力が作用した場合、すなわち、中心軸回りの捻じれ力が作用した場合であっても、捩り制御プレート６１が、その弾性力（復元力）によって捩じれ前の形状に保つように作用することができ、制御装置１を介してボード１０２の捩じれの影響を緩和してボード１０２の安定性、コントロール性を高めることができる。
【０１０３】
従って、滑走時において長手方向に延びる捩り制御手段２を軸としてこの軸回りの捩じりについても制御することができるため、ターンしながらスムーズに滑走することができる。
【０１０４】
また、捩り制御手段２は、上述した捩り制御プレート６１に限らず、図１１に示す捩り制御ビーム７１を採用してもよい。
【０１０５】
捩り制御ビーム７１は、２本のビーム７１ａ，７１ａを平面視でクロスさせた形状で形成され、制御装置１Ｂにおいて、平面視で、前後各側のビンディング取付プレート３，３と、幅方向各側の制御手段２，２との間に構成される空間に、対角線状に配置されている。そして、捩り制御ビーム７１の各端部は、連結プレート４の夫々に対向する部分に形成した取付片７２にボルト等で接合固定されている。
【０１０６】
上記構成の捩り制御ビーム７１を備えた制御装置１Ｂにおいても、上述した制御手段６１と同様の効果を得ることができる。
【０１０７】
また他の実施形態として、図１２（ａ１）、（ｂ１）に示すように、前端連結部１０は、前端ベース体取付部材１１に対する前端ボード取付部材１２のスライド長さを調整するスライド長さ調整手段（８１）を備えてもよい。
【０１０８】
具体的には、スライド長さ調整手段は、スライド軸３７の外周に着脱可能に形成したＣ環状等のスライド長さ調整ブロック８１（以下、「ブロック８１」という）で形成することができる。
【０１０９】
そして、ブロック８１を図１２（ａ１）に示すように、スライド軸３７の軸方向における前端ベース体取付部材１１よりも前側に装着することで、ボード１０２が逆アーチ状に撓んだとき、図１２（ａ２）に示すように、前端ボード取付部材１２は後方に退避するが、ブロック８１が前端ベース体取付部材１１に当接することでそれ以上後方に退避しないように規制することができる。
【０１１０】
これにより、ブロック８１を図１２（ａ１）に示すように、スライド軸３７の軸方向における前端ベース体取付部材１１よりも前側に装着することで、ボード１０２が逆アーチ状に撓んだときの前端連結部１０のボード１０２の変形に対する追従性を低下させることができ、結果的にボード１０２の前側部分の撓みを抑制することができる。
【０１１１】
一方、ブロック８１を図１２（ｂ１）に示すように、スライド軸３７の軸方向における前端ベース体取付部材１１よりも後側に装着することで、ボード１０２がアーチ状に撓んだとき、図１２（ｂ２）に示すように、前端ボード取付部材１２は前方へ突出するが、ブロック８１が前端ベース体取付部材１１に当接することでそれ以上前方へ突出しないように規制することができる。
【０１１２】
これにより、ブロック８１を図１２（ｂ１）に示すように、スライド軸３７の軸方向における前端ベース体取付部材１１よりも後側に装着することで、ボード１０２がアーチ状に撓もうとしたときの前端連結部１０のボード１０２の変形に対する追従性を低下させることができ、結果的にボード１０２の前側部分の撓みを抑制することができる。
【０１１３】
上述したように、前端連結部１０は、ブロック８１のスライド軸３７に対する装着位置、ブロック８１のスライド軸１３の軸方向の厚み、ブロック８１を装着するか否かを含めて変更することで、スライド軸３７のスライド量を調整することができ、結果的にボード１０２の前側部分の撓み具合を調整することできる。
【０１１４】
また上述した中間前側連結部３０は、中間前側伸縮アーム３３を備え、この中間前側伸縮アーム３３に備えたダブルナット５５（５５ａ，５５ｂ）により、バネ５３の伸縮量を調整可能に構成したが（図７（ａ），（ｂ）参照）、本発明の伸縮連結部材は、上記構成に限らず、例えば、図１３（ａ），（ｂ）に示すような他の実施形態を採用してもよい。
【０１１５】
図１３（ａ）は、図７（ｂ）に相当する他の実施形態の中間前側連結部１３０に備えた伸縮連結部材としての中間前側伸縮アーム１３３の説明図であり、図１３（ｂ）は、中間前側伸縮アーム１３３に備えた後述する中間前側伸縮アーム本体部１３６の正面図である。
【０１１６】
本実施形態の中間前側伸縮アーム１３３は、中間前側伸縮アーム本体部１３６と弾性力調節ナット１３５とで構成し、中間前側伸縮アーム本体部１３６は、図１３（ａ），（ｂ）に示すにように、段付のシャフト状に形成され、その軸方向のボード１０２側には、大径に形成したアーム大径部１３９を備えるとともに、ベース体５側にはアーム大径部１３９よりも小径に形成されたアーム小径部１３８を備え、これらアーム大径部１３９とアーム小径部１３８とが一体又は一体的に構成されている。  
すなわちアーム大径部１３９とアーム小径部１３８とは、一部材で構成する、或いはアアーム大径部１３９に対してアーム小径部１３８を嵌合する等して事実上一体に構成したものである。
【０１１７】
アーム小径部１３８には、その軸方向のベース体５側端に、上述した実施形態のスライド軸３７のように頭部３７ｂ（図７（ｂ）参照）が形成されておらず、図１３（ａ），（ｂ）に示すにように雄ネジ部１３８ａが形成されており、該雄ネジ部１３８ａに螺合する上記の弾性力調節ナット１３５を備えている（図１３（ａ）参照）。
【０１１８】
そして弾性力調節ナット１３５をアーム小径部１３８に対して回動させることにより、その回動方向、回動具合に応じて押さえ板５４とガイドブッシュ５１との間において介在するバネ５３の長さを、該押さえ板５４を介して調整することができる。すなわち、バネ５３の伸縮量（弾性力）を調整することができる。
【０１１９】
このように本実施形態の中間前側伸縮アーム１３３は、バネ５３の弾性力の調整機能を有しつつも、アーム大径部１３９とアーム小径部１３８とを一体化することで、図７（ａ），（ｂ）に示した中間前側伸縮アーム１３３のように、アーム長調節ナット５２やダブルナット５５（５５ａ，５５ｂ）を省略した構成として部品点数を減らして、中間前側伸縮アーム１３３全体としてシンプルかつコンパクトな構成を実現することができる。
【符号の説明】
【０１２０】
１，１Ａ，１Ｂ…スノーボード用制御装置
２…制御手段
３…ビンディング取付プレート
５…ベース体
１０…前端連結部
１３…スライド軸
２０…後端連結部
３０，１３０…中間前側連結部
３３，１３３…中間前側伸縮アーム
４０…中間後側連結部
４３…中間後側アーム
５３…バネ
５５ａ，１３５…弾性力調整ナット
６１…捩り制御プレート
７１…捩り制御ビーム
１３６…中間前側伸縮アーム本体部
【手続補正２】
【補正対象書類名】特許請求の範囲
【補正対象項目名】全文
【補正方法】変更
【補正の内容】
【特許請求の範囲】
【請求項１】
スノーボードのボードの上面に設置されるベース体と、
該ベース体の長手方向の前後各側に、ビンディングを取付け可能に備えたビンディング取付部と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定し、
上記連結部は、上記ベース体の長手方向の前後両端のうち少なくとも一端と、該ベース体の長手方向の中間に設けられ、
上記ベース体の少なくとも上記一端に設けた上記連結部を、上記直接連結部に設定した
スノーボード用制御装置。
【請求項２】
スノーボードのボードの上面に設置されるベース体と、
該ベース体の長手方向の前後各側に、ビンディングを取付け可能に備えたビンディング取付部と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定し、
少なくとも１つの上記間接連結部は、該間接連結部の長手方向に伸縮する伸縮連結部材を備えるとともに、該伸縮連結部材の伸縮抵抗に基づいて上記ボードの撓みを制御する伸縮抵抗付与手段を備え、
上記伸縮抵抗付与手段により付与する上記伸縮連結部材の伸縮抵抗の大きさを調整する伸縮抵抗調整手段を備えた
スノーボード用制御装置。
【請求項３】
上記ベース体と上記連結部とで構成される制御手段を一対備え、該一対の制御手段を上記ボードの上面の幅方向に並設した
請求項１又は２に記載のスノーボード用制御装置。
【請求項４】
スノーボードのボードの上面に設置されるベース体と、
該ベース体の長手方向の前後各側に、ビンディングを取付け可能に備えたビンディング取付部と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定し、
上記ベース体と上記連結部とで構成される制御手段を一対備え、該一対の制御手段を上記ボードの上面の幅方向に並設した
スノーボード用制御装置。
【請求項５】
上記一対の制御手段に備えた夫々の上記ベース体の幅方向の間に、該ベース体の長手方向に延びる捩り制御手段を備えた
請求項３又は４に記載のスノーボード用制御装置。
【請求項６】
上記一対の制御手段の幅方向の間に、これら一対の制御手段に備えた両ベース体を幅方向に接合するベース体接合部材を備え、
上記ベース体接合部材を、上記ベース体の長手方向の前後両側に備えた上記ビンディング取付部材に設定した
請求項３乃至５のいずれか１項に記載のスノーボード用制御装置。
【手続補正３】
【補正対象書類名】図面
【補正対象項目名】図１３
【補正方法】変更
【補正の内容】
【図１３】
2018122967.tif 000016
【手続補正書】
【提出日】平成29年12月20日(2017.12.20)
【手続補正１】
【補正対象書類名】明細書
【補正対象項目名】全文
【補正方法】変更
【補正の内容】
【発明の詳細な説明】
【技術分野】
【０００１】
この発明は、スノーボードのボードとビンディングとの間に介在させるベース体を備えるとともに、ボードとベース体とに連結され、ベース体に対して所定の可動範囲を許容しながらボードの撓みを制御する連結部を備えたスノーボード用制御装置に関する。
【背景技術】
【０００２】
一般にスノーボードのボードは、雪面等の滑走面を滑走時の機動性や衝撃吸収性を確保するために、滑走面の形状に応じて撓み変形し易いように可撓性を有して設計されている。
【０００３】
一方、スノーボードのビンディングおよびその取付具は、ボーダーの操作力を受け止めて該操作力がボードに直接的に伝達し易いようにスノーボードに強固に固定されるとともに高剛性となるように設計されている。
【０００４】
このようにスノーボードのボードと、ビンディングおよびその取付具とは相反する特性を有するため、従来のようにビンディングを、その取付具を介してボードに装着した場合、ボードの可撓性が減殺されるという課題があった。このことはスキーにおいてスキー板とビンディングとの間においても同様の課題があった。
【０００５】
このような課題に対して特許文献１のスキービンディング搭載用プラットフォームに例示されるように、スキービンディングをスキー板に直接取り付けないで制御装置（プラットフォーム）を介して取り付けたものが提案されている。
【０００６】
特許文献１のものは、スキー（５）の上面へ装着する弾性変形可能なベースプレート（１１）と、スキービンディングの前部を位置決めする前部位置決めプレート（１２）と、後部を位置決めする後部位置決めプレート（１３）とを備えている。前部位置決めプレート（１２）は、その前後各側でベースプレート（１１）に一対のレバーを介して枢動可能に接続され、該ベースプレート（１１）の前方所定位置の上面に支持されている。後部位置決めプレート（１３）は、その前後各側でベースプレート（１１）に一対のレバーを介して枢動可能に接続され、該ベースプレート（１１）の後方所定位置の上面に支持されている。
【０００７】
すなわち、特許文献１のものは、ベースプレート（１１）とスキー（５）の上面とを連結する複数の連結部は、全てベースプレート（１１）が連結部材としてのレバーを介してスキー（５）に対して連結した構成を採用している。
【０００８】
しかしながら特許文献１の構成においては、複数設けた各連結部材が夫々の可動範囲の下で方々に自由に可動するとユーザとボード（スキー板）との一体性が損なわれるため、特許文献１のような制御装置を介してボードをコントロールすることがかえって困難になることが懸念され、改善の余地があった。
【先行技術文献】
【特許文献】
【０００９】
【特許文献１】欧州特許第２２８５４５７号明細書（ＥＰ２２８５４５７  Ｂ１）
【発明の概要】
【発明が解決しようとする課題】
【００１０】
そこでこの発明は、スノーボードの可撓性が減殺されることなく、コントロール性を高めることができるスノーボード用制御装置の提供を目的とする。
【課題を解決するための手段】
【００１１】
この発明は、スノーボードのボードの上面に設置されるベース体と、該ベース体の長手方向の前後各側に、ビンディングを取付け可能に備えたビンディング取付部材と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定し、上記連結部は、上記ベース体の長手方向の前後両端のうち少なくとも一端と、該ベース体の長手方向の中間に設けられ、上記ベース体の少なくとも上記一端に設けた上記連結部を、上記直接連結部に設定したものである。
【００１２】
上記構成によれば、スノーボードの可撓性が減殺されることなくコントロール性を高めることができる。
【００１３】
また、ボードを効率よく制御することが可能となり、ボードのコントロール性をより高めることができる。
【００１４】
またこの発明は、スノーボードのボードの上面に設置されるベース体と、該ベース体の長手方向の前後各側に、ビンディングを取付け可能に備えたビンディング取付部材と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定し、少なくとも１つの上記間接連結部は、該間接連結部の長手方向に伸縮する伸縮連結部材を備えるとともに、該伸縮連結部材の伸縮抵抗に基づいて上記ボードの撓みを制御する伸縮抵抗付与手段を備え、上記伸縮抵抗付与手段により付与する上記伸縮連結部材の伸縮抵抗の大きさを調整する伸縮抵抗調整手段を備えることができる。
【００１５】
上記構成によれば、間接連結部は、伸縮抵抗付与手段を備えた伸縮連結部材により構成したため、滑走時に伸縮連結部材が伸縮抵抗付与手段によって衝撃を吸収することができるため、衝撃吸収効果を高めることができる。
【００１６】
さらに、滑走時にボードが撓み変形しても、該ボードは、伸縮抵抗付与手段による伸縮抵抗力が付勢されることで、連続して続く滑走面の滑走に備えてボード体を元の形状に復元させ易くなるため、起伏の激しい滑走面であっても撓み変形したボードの追従性を高めることができ、結果的にボードのコントロール性を高めることができる。
【００１７】
上記伸縮抵抗付与手段は、バネやゴム等の弾性体、ダンパ、或いはこれらの両方を備えた構成を採用することができる。
【００１８】
さらに、滑走面の形状、滑走条件や各ボーダー（ユーザー）の適性、レベルに応じて伸縮抵抗調整手段によって伸縮連結部材の伸縮抵抗の大きさを調整することができるため、ボードのコントロール性をより高めることができる。
【００１９】
またこの発明は、スノーボードのボードの上面に設置されるベース体と、該ベース体の長手方向の前後各側に、ビンディングを取付け可能に備えたビンディング取付部材と、上記ベース体と上記ボードの上面とを所定の可動範囲を許容して連結することで該ボードの撓みを制御可能とする複数の連結部と、で構成されるスノーボード用制御装置であって、上記連結部は、上記ベース体が上記ボードに対して回動可能に直接連結した直接連結部と、上記ベース体が連結部材を介して上記ボードに対して連結した間接連結部とで構成され、複数の上記連結部のうち１つの連結部を、上記直接連結部に設定するとともに、該直接連結部以外の複数の上記連結部を、上記直接連結部を基準としてボードの撓みを制御する上記間接連結部に設定し、上記ベース体と上記連結部とで構成される制御手段を一対備え、該一対の制御手段を上記ボードの上面の幅方向に並設することができる。
【００２０】
上記構成によれば、一対の制御手段をボードの上面の幅方向に並設することにより、ボードの幅方向の両側において、ボードの撓みを制御することが可能となり、安定性およびコントロール性を高めることができる。
【００２１】
またこの発明の態様として、上記一対の制御手段に備えた夫々の上記ベース体の幅方向の間に、該ベース体の長手方向に延びる捩り制御手段を備えることができる。
【００２２】
上記構成によれば、滑走時において長手方向に延びる捩り制御手段を軸としてこの軸回りの捩じりについても制御することができるため、ターンしながらスムーズに滑走することができる。
【００２３】
またこの発明の態様として、上記一対の制御手段の幅方向の間に、これら一対の制御手段に備えた両ベース体を幅方向に接合するベース体接合部材を備え、上記ベース体接合部材を、上記ベース体の長手方向の前後両側に備えた上記ビンディング取付部材に設定することができる。
【００２４】
上記構成によれば、上記一対の制御手段の幅方向の間に、ベース体接合部材としてのビンディング取付部材を備えることにより、一対の制御手段の夫々によってユーザの体重を、ビンディング取付部材を介してバランスよく支持することができる。また、一対の制御手段の接合をビンディング取付部材によって賄うことができるため、一対の制御手段を接合するための接合部材を別途備える必要がなく部品点数を省くことができる。
【発明の効果】
【００２５】
スノーボードの可撓性が減殺されることなく、コントロール性を高めることができるスノーボード用制御装置を提供することができる。
【図面の簡単な説明】
【００２６】
【図１】本実施形態のスノーボード用制御装置を底面側から見た斜視図。
【図２】本実施形態のスノーボード用制御装置の平面図。
【図３】図２中のＡ−Ａ線縦断面図。
【図４】本実施形態のスノーボード用制御装置の図３に対応する作用説明図。
【図５】スノーボード用制御装置の長手方向の中間部を拡大して示した構成及び作用説明図。
【図６】スノーボード用制御装置の長手方向の両端部を拡大して示した構成及び作用説明図。
【図７】中間前側連結部を幅方向中間位置の縦断面により示した構成及び作用説明図。
【図８】中間後側連結部を幅方向中間位置の縦断面により示した構成及び作用説明図。
【図９】他の実施形態のスノーボード用制御装置を底面側から見た斜視図。
【図１０】他の実施形態のスノーボード用制御装置の平面図。
【図１１】さらに他の実施形態のスノーボード用制御装置の平面図。
【図１２】さらに他の実施形態のスノーボード用制御装置の説明図。
【図１３】他の実施形態の中間前側連結部の説明図。
【発明を実施するための形態】
【００２７】
この発明の一実施形態を、以下図面を用いて説明する。  
（第１実施形態）
図１は本実施形態のスノーボード用制御装置の底面側から見た斜視図、図２は本実施形態のスノーボード用制御装置をボードに装着した状態を示す平面図、図３は図２中のＡ−Ａ線縦断面図、図４は本実施形態のスノーボード用制御装置の図３に対応する作用説明図、図５（ａ）は図３における長手方向の中間部の拡大図、図５（ｂ）は図４における長手方向の中間部の拡大図、図６（ａ）は図３における長手方向の両端部の拡大図、図６（ｂ）は図４における長手方向の両端部の拡大図、図６（ｃ）はボードが図４に示す向きと逆向きに撓んだときのスノーボード用制御装置の長手方向の両端部の拡大図、図７（ａ）は中間前側連結部の幅方向の中間位置の縦断面図であって、中間前側伸縮アームの作用説明図、図７（ｂ）はベース体に対して中間前側伸縮アームが傾いた状態における、図７（ａ）に対応して示した作用説明図、図８（ａ）は中間後側連結部の幅方向の中間位置の縦断面図であって、中間後側アームの作用説明図、図８（ｂ）はベース体に対して中間後側アームが傾いた状態における、図８（ａ）に対応して示した作用説明図である。
【００２８】
なお、図中、矢印Ｆは装置前方を示し、矢印Ｒは装置後方を示し、矢印Ｕは装置上方を示し、矢印Ｘは後記のアーム軸方向を示す。
【００２９】
図１〜図４に示すように、第１実施形態のスノーボード用制御装置１（以下、「制御装置１」という）は、幅方向に並設される一対の制御手段２，２と、これら一対の制御手段２，２の幅方向の間に介在し、ビンディング１００（図３参照）を取付け可能に備えたビンディング取付プレート３と、連結プレート４とを備えている。
【００３０】
ビンディング取付プレート３は、一対の制御手段２，２の幅方向の間における長手方向（前後方向）の前後各側に配置されている。この状態でビンディング取付プレート３は、連結プレート４を介して一対の制御手段２，２に一体に連結されている。
【００３１】
具体的には、連結プレート４は、制御装置１の幅方向の全体に亘って延びる短冊状に形成されており、前後各側のビンディング取付プレート３の長手方向の前端と後端に相当する部位において、一対の制御手段２，２とビンディング取付プレート３とに架け渡すように裏面側から配置されている。そして連結プレート４と一対の制御手段２，２の夫々とが底面視でオーバーラップする部分をボルトおよびナットにより締結固定するとともに、連結プレート４とビンディング取付プレート３とが底面視でオーバーラップする部分をボルトおよびナットにより締結固定している。これにより一対の制御手段２，２は、ビンディング取付プレート３および連結プレート４を介して互いに一体に接合されている。
【００３２】
一対の制御手段２，２は、互いに同一の構成であるため、制御手段２の構成を幅方向の一方の制御手段２の構成に基づいて説明する。
【００３３】
制御手段２は、スノーボード１０１のボード１０２の上面１０２ｕ（図２、図３参照）に設置されるベース体５と、該ベース体５とボード上面１０２ｕとを連結することで、ベース体５に対してボード１０２の所定の可動範囲を許容しつつ該ボード１０２の撓みを制御可能とする複数の連結部１０，２０，３０，４０とを備えている。
【００３４】
ベース体５は、平面視縦長の矩形状に形成された板状のベースプレート５ａと、ベースプレート５ａの幅方向の両端には側壁プレート５ｂ（図１参照）を備え、いずれも軽量かつ高剛性の炭素繊維を用いた成形により一体に形成されている。この側壁プレート５ｂは、ベースプレート５ａの幅方向の両端において、ベースプレート５ａの下面に対して下方へ立設するように接合されている。これにより側壁プレート５ｂは、ベース体５の幅方向の両側において長手方向の略全長に亘って延びる縦壁状に形成されている。なお、ベース体５の幅方向内側の側壁プレート５ｂには、幅方向に配置した連結プレート４が横切るように該連結プレート４を挿通する挿通孔５ｂａ（図１参照）が形成されている。
【００３５】
さらに図１、図３に示すように、ベース体５の下部には、ベースプレート５ａの下面と幅方向の両側の側壁プレート５ｂの幅方向内面とで、連結部１０，２０，３０，４０の少なくとも一部を収容可能に下方へ向けて開口した底浅の収容空間５Ａが形成されている。
【００３６】
連結部１０，２０，３０，４０は、ベース体５の長手方向（前後方向）の前端に備えた前端連結部１０と、後端に備えた後端連結部２０と、中間位置の前側に備えた中間前側連結部３０と、中間位置の後側に備えた中間後側連結部４０とを備えている。
【００３７】
図６（ａ）に示すように、前端連結部１０は、ベース体５の前端においてボルト等で締結固定された前端ベース体取付部材１１と、非撓み変形状態のボード上面１０２ｕとの対向部位にボルト等で締結固定される前端ボード取付部材１２と、スライド軸１３と、回転軸１４を備えている。
【００３８】
前端ベース体取付部材１１には、その幅方向の両側において長手方向に貫通形成された貫通孔１１ａにガイドブッシュ１５が嵌合され、スライド軸１３は、前端ベース体取付部材１１に、該ガイドブッシュ１５を介して長手方向にスライド自在に支持されている。
【００３９】
スライド軸１３の後端は、前端ベース体取付部材１１の後面に当接する抜け止め用の鍔状のストッパ１６を備えている。スライド軸１３の前端は、幅方向に延びる回転軸１４を介して前端ボード取付部材１２の後部に回動自在に連結されている。
【００４０】
前端ボード取付部材１２は、前端ベース体取付部材１１に対してスライド軸１３を介して長手方向にスライド（伸縮）可能であるとともに幅方向に延びる回転軸１４を介して回転軸１４回りに回転可能に形成されている。
【００４１】
要するに前端連結部１０は、上述したように、前端ボード取付部材１２が前端ベース体取付部材１１に対して回転軸１４を介して回転可能に、直接的に連結されているのではなく、スライド軸１３を介して間接的に連結された構成としている。
【００４２】
図６（ａ）に示すように、後端連結部２０は、ベース体５の後端においてボルト等で締結固定された後端ベース体取付部材２１と、非撓み変形状態のボード上面１０２ｕとの対向部位にボルト等で締結固定される後端ボード取付部材２２と、回転軸２３とを備えている。
【００４３】
後端ベース体取付部材２１の後部は、幅方向に延びる回転軸２３を介して後端ボード取付部材２２の前部に回動自在に連結されている。
【００４４】
要するに後端連結部２０は、上述したように、後端ボード取付部材２２が回転軸２３を介して回動可能に後端ベース体取付部材２１に対して直接連結された構成としている。
【００４５】
図５（ａ）、（ｂ）、図７（ａ）、（ｂ）に示すように、中間前側連結部３０は、ベース体５の中間前側位置においてボルト等で締結固定された中間前側ベース体取付部材３１と、非撓み変形状態のボード上面１０２ｕとの対向部位にボルト等で締結固定される中間前側ボード取付部材３２と、中間前側ベース体取付部材３１と中間前側ボード取付部材３２との間に伸縮可能に介在する中間前側伸縮アーム３３と、ベース体側回転軸３４と、ボード側回転軸３５と、を備えている。なお、図５（ａ）、（ｂ）、図７（ａ）、（ｂ）中の符号６０は、中間前側ボード取付部材３２をボード１０２にボルト締結する際に工具を差し込むための作業用孔である。
【００４６】
中間前側伸縮アーム３３は、底面視略矩形の枠状に形成された枠状部材３６（図１参照）と、スライド軸３７と、筒状軸受け部材３８と、ガイドブッシュ５１とを備えている。
【００４７】
詳述すると、スライド軸３７は、枠状部材３６のボード側辺３６ａにアーム軸方向に貫通形成された貫通孔に嵌合されたガイドブッシュ５１にベース体５側からボード１０２側に挿通されたボルトで形成されている。すなわちスライド軸３７は、図７（ａ）（ｂ）に示すように、ベース体５側の端部に頭部３７ｂが設けられるとともに、枠状部材３６のボード側辺３６ａからのボード１０２側への突出部分の先端部には雄ネジ部３７ａが形成されている。ただし、スライド軸３７の頭部３７ｂから雄ネジ部３７ａとの間は、外周面に雄ネジ部３７ａが形成されていない寸胴な円柱状（丸棒状）に形成されている。
【００４８】
スライド軸３７は、雄ネジ部３７ａが形成されていない丸棒部分（ネジ非形成部）がガイドブッシュ５１に挿通されているため、該ガイドブッシュ５１に対してアーム軸方向にスライド可能に保持されている。
【００４９】
中間前側伸縮アーム３３のボード１０２側には、筒状軸受け部材３８を備えている。この筒状軸受け部材３８は、ボード１０２側端部が閉塞され、ベース体５側端部が開口した、スライド軸３７を挿通可能な筒状に形成されており、その内周面には、スライド軸３７の雄ネジ部３７ａと螺合する雌ネジ部３８ａが形成されている。
【００５０】
そしてスライド軸３７の先端側部分は、筒状軸受け部材３８に雄ネジ部３７ａと雌ネジ部３８ａとが螺合した状態で挿通されている。
【００５１】
さらに図５（ａ）、（ｂ）、図７（ａ）、（ｂ）に示すように、中間前側伸縮アーム３３には、中間前側伸縮アーム３３の伸縮長さ（スライド軸３７のスライド長さ）を調整する手段としてのアーム長調節ナット５２を備えている。このアーム長調節ナット５２は、筒状軸受け部材３８とガイドブッシュ５１との間においてスライド軸３７の雄ネジ部３７ａに螺合させた状態で介在している。
【００５２】
そしてアーム長調節ナット５２を筒状軸受け部材３８に対して回動させることにより、筒状軸受け部材３８に対してスライド軸３７をスライドさせることができ、中間前側伸縮アーム３３の長さ調整をすることができる。
【００５３】
さらに同図に示すように、中間前側伸縮アーム３３は、ガイドブッシュ５１とスライド軸３７の頭部３７ｂとの間に、スライド軸３７を囲繞するコイル状のバネ５３と、バネ５３をそのベース体５側端からボード１０２側へ押さえ付けて保持する押さえ板５４と、バネ５３の伸縮量を調整するダブルナット５５（５５ａ，５５ｂ）を備えている。
【００５４】
この押さえ板５４は、スライド軸３７の頭部３７ｂとバネ５３との間に介在する円環状の板（ワッシャ）により形成され、枠状部材３６のボード側辺３６ａの側へバネ５３を自然長から圧縮状態となるように押さえ付ける位置でスライド軸３７に一体に取り付けられている。
【００５５】
これにより、スライド軸３７は通常時においては、アーム軸方向のベース体５側に付勢された状態とされている。
【００５６】
バネ５３は、中間前側伸縮アーム３３の伸縮抵抗を付与する伸縮抵抗付与手段であり、スライド軸３７と同軸になるように配置されている。そしてバネ５３は、スライド軸３７がガイドブッシュ５１に対してボード１０２側へスライドしようとしたときに例えば、さらに圧縮変形することに伴って伸縮抵抗としての弾性力（復元力）をスライド軸３７に付与することができる。
【００５７】
ダブルナット５５は、アーム長調節ナット５２とガイドブッシュ５１との間においてスライド軸３７の雄ネジ部３７ａに螺合させた状態で介在する２つのナットであり、スライド軸３７回りの回動に伴ってバネ５３長を変化させることにより、バネ５３の弾性力の大きさを調整する弾性力調整ナット５５ａと、弾性力調整ナット５５ａが回動しないように固定する固定ナット５５ｂと、で構成されている。弾性力調整ナット５５ａはベース体５側に備え、固定ナット５５ｂはボード１０２側に備えている。
【００５８】
上述した中間前側ボード取付部材３２、筒状軸受け部材３８、アーム長調節ナット５２、ダブルナット５５および押さえ板５４は、スライド軸３７が枠状部材３６のボード側辺３６ａに備えたガイドブッシュ５１に対してアーム軸方向へスライド時に該スライド軸３７とともに一体にスライドする。
【００５９】
また上述したように、バネ５３の付勢力（復元力）に抗して中間前側伸縮アーム３３がボード１０２側へ伸長した際には、バネ５３がより圧縮されることで中間前側伸縮アーム３３には、バネ５３のより大きな付勢力（復元力）が作用することになる。
【００６０】
なお、スライド軸３７は通常時においては、上述したように、アーム軸方向のベース体５側に付勢された状態とされているため、弾性力調整ナット５５ａのベース体５側の端面とガイドブッシュ５１のボード１０２側端面とが密着した状態となるが（図７（ａ）参照）、バネ５３の付勢力（復元力）に抗して中間前側伸縮アーム３３がボード１０２側へ伸長した際には、スライド軸３７のボード１０２側へのスライドに伴って、弾性力調整ナット５５ａのベース体５側の端面とガイドブッシュ５１のボード１０２側端面とが離間した状態となる（図５（ｂ）、図７（ｂ）参照）。
【００６１】
中間前側伸縮アーム３３の前部、すなわち枠状部材３６のベース体側辺３６ｂは、幅方向に延びるベース体側回転軸３４を介して中間前側ベース体取付部材３１の後部に回動自在に連結されている。一方、中間前側伸縮アーム３３の後部、すなわち筒状軸受け部材３８のボード１０２側端は、幅方向に延びるボード側回転軸３５を介して中間前側ボード取付部材３２の前部に回動自在に連結されている。
【００６２】
要するに中間前側連結部３０は、上述したように、中間前側ボード取付部材３２が、ベース体側回転軸３４およびボード側回転軸３５を介して回動可能であるとともに、中間前側伸縮アーム３３を介して中間前側ベース体取付部材３１に対して間接的に連結された構成としている。
【００６３】
図５（ａ）、（ｂ）、図８（ａ）、（ｂ）に示すように、中間後側連結部４０は、ベース体５の中間後側位置においてボルト等で締結固定された中間後側ベース体取付部材４１と、非撓み変形状態のボード上面１０２ｕとの対向部位にボルト等で締結固定される中間後側ボード取付部材４２と、中間後側ベース体取付部材４１と中間後側ボード取付部材４２との間に介在する中間後側アーム４３と、ベース体側回転軸４４と、ボード側回転軸４５と、を備えている。
【００６４】
中間後側アーム４３は、中間前側伸縮アーム３３と同様に、底面視略矩形の枠状に形成された枠状部材３６と、スライド軸１３７と、筒状軸受け部材３８と、ガイドブッシュ５１と、アーム長調節ナット５２と、ダブルナット５５とを備えているが、本実施形態においては中間後側アーム４３に備えたスライド軸１３７は、中間前側伸縮アーム３３に備えたスライド軸３７とは異なり、アーム軸方向へガイドブッシュ５１に対してスライド可能な長さを有しない短尺なボルトを採用している。このため、本実施形態の中間後側アーム４３は、アーム軸方向へ伸縮しない構成としている。
【００６５】
なお、中間後側アーム４３のスライド軸１３７は、中間前側伸縮アーム３３のスライド軸３７に対して長さが短尺であるだけで基本的な構成は同じであり、また中間後側アーム４３に備えた筒状軸受け部材３８、ガイドブッシュ５１と、アーム長調節ナット５２およびダブルナット５５は、中間前側伸縮アーム３３のそれと同様の構成であるためその説明は省略する。
【００６６】
さらに本実施形態においては、中間後側アーム４３は、ガイドブッシュ５１と、スライド軸１３７の頭部１３７ｂとの間にバネ５３を介在させておらず、該中間後側アーム４３自体に伸縮時の抵抗を付与する手段を備えていない構成としている。
【００６７】
ただし、中間後側アーム４３についても中間前側伸縮アーム３３と同様に、スライド軸１３７がアーム軸方向へスライド可能に構成したり、バネ５３を備えて該バネ５３の弾性力により、中間後側アーム４３自体に伸縮抵抗を付与可能な構成を採用してもよい。この場合には、伸縮させたり、その伸縮時の抵抗を付与できない現状の中間後側アーム４３を、別途備えた、中間前側伸縮アーム３３と同様に構成したパーツと必要に応じて交換するだけで、中間後側アーム４３についても容易に中間後側伸縮アーム（図示省略）として構成することができる。
【００６８】
中間後側アーム４３の後部、すなわち枠状部材３６のベース体側辺３６ｂは、幅方向に延びるベース体側回転軸４４を介して中間後側ベース体取付部材４１の前部に回動自在に連結されている。一方、中間後側アーム４３の前部、すなわち筒状軸受け部材３８のボード１０２側端は、幅方向に延びるボード側回転軸４５を介して中間後側ボード取付部材４２の後部に回動自在に連結されている。
【００６９】
要するに中間後側連結部４０は、上述したように、中間後側ボード取付部材４２がベース体側回転軸４４およびボード側回転軸４５を介して回動可能であるとともに、中間後側アーム４３を介して中間後側ベース体取付部材４１に対して間接的に連結された構成としている。
【００７０】
続いて上述した制御装置１の作用について説明する。  
図６（ｂ）に示すように、ボード１０２がその長手方向の中間位置が下方に凸となる逆アーチ状（図４参照）に変形した場合には、前端連結部１０は、前端ベース体取付部材１１に対して前端ボード取付部材１２が、その前端が前方斜め上方を向くように回動する。さらにボード１０２が逆アーチ形状に大きく変形した場合には前端連結部１０は、スライド軸１３が後方へ退避するようにスライドする。
【００７１】
一方、図６（ｃ）に示すように、ボード１０２がその長手方向の中間位置が上方に凸となるアーチ状に変形した場合には、前端連結部１０は、前端ベース体取付部材１１に対して前端ボード取付部材１２が、その前端が前方斜め下方を向くように回動する。さらにボード１０２がアーチ形状に大きく変形した場合には前端連結部１０は、スライド軸１３が前方へ突き出すようにスライドする。
【００７２】
このように、前端連結部１０は、そのボード１０２の撓み具合に応じて前端ボード取付部材１２が回動するとともにスライドすることで、ボード１０２の変形に追従しながらその変形を許容しつつ、ボード１０２の前側部位が過度に撓んだり、バタついたりしないように制御することができる。
【００７３】
また図６（ｂ）に示すように、ボード１０２が逆アーチ状に変形した場合には、後端連結部２０は、後端ベース体取付部材２１に対して後端ボード取付部材２２が、その後端が後方斜め上方を向くように回動する一方で、図６（ｃ）に示すように、ボード１０２がアーチ状に変形した場合には、後端ベース体取付部材２１に対して後端ボード取付部材２２が、その後端が後方斜め下方を向くように回動する。
【００７４】
このように、後端連結部２０は、ボード１０２が変形しても、後端ボード取付部材２２の回動によってのみボード１０２の変形に追従することで、その他の連結部１０，３０，４０がよりアクティブに変位することで全体として制御困難になることを回避し、制御装置１を介してボード１０２を制御する際の基準点として機能させることができる。これにより、ボード１０２と制御装置１との一体性を保ち易くなりコントロール性を高めることができる。
【００７５】
また、中間前側連結部３０および中間後側連結部４０は、図５（ｂ）、図７（ｂ）、図８（ｂ）に示すように、ボード１０２が逆アーチ状に変形した際には、ボード１０２の長手方向の中間位置はベース体５に対して下方へ離間するように変形しようとするが、このようなボード１０２の形状に従って夫々に備えた中間前側伸縮アーム３３、中間後側アーム４３が積極的に下方に突き出すように傾くことでボード１０２がベース体５に対して離間することを許容しつつ制御装置１を介してボード１０２を制御することができる。
【００７６】
すなわち、ボーダーからの荷重を受け止めるため、高剛性で形成されたビンディング取付プレート３と、撓み変形し易いボード１０２との間に制御装置１が介在することでビンディング取付プレート３とボード１０２との相反する特性を両立することができる。
【００７７】
特に、本実施形態における中間前側連結部３０は、バネ５３の弾性力が付勢された状態で伸縮する中間前側伸縮アーム３３を備えている（図７（ｂ）参照）。これにより、中間前側連結部３０は、ボード１０２がアーチ状又は逆アーチ状に撓んだ場合であっても、伸縮性に優れたバネ５３が伸長することで、ボード１０２の適切な撓みを許容する一方で、所定以上ボード１０２が撓んだ場合にはバネ５３の弾性力（復元力）を活かしてボード１０２が過度に撓むことを阻止するとともに、ボード１０２が撓んだ形状から元の形状に素早く復帰させることで滑走面に対する追従性を高めることができる。しかも、ボード１０２と制御装置１との一体性を確保することができ、結果的に制御装置１を介してボード１０２のコントロール性を保つことができる。
【００７８】
換言すると、ボード１０２が逆アーチ状に変形した際には、上述したようなボード１０２の長手方向の中間位置がベース体５に対して大きく下方へ離間するように変形しようとするため、このようなボード１０２の長手方向の中間位置において、中間前側連結部３０が有する優れた伸縮性と弾力性とを活かすことができ、上述した効果を効果的に得ることができる点で有効である。
【００７９】
上述したように、制御装置１は、前端連結部１０、後端連結部２０、中間前側連結部３０および中間後側連結部４０によって、後端連結部２０を基準として協働でボード１０２の撓みを制御することができる。
【００８０】
上述した本実施形態の制御装置１は、スノーボード１０１のボード上面１０２ｕに設置されるベース体５と、該ベース体５の長手方向の前後各側に、ビンディング１００を取付け可能に備えたビンディング取付プレート３と、ベース体５とボード上面１０２ｕとを所定の可動範囲を許容して連結することで該ボード１０２の撓みを制御可能とする複数の連結部１０，２０，３０，４０と、で構成されるスノーボード用制御装置であって、連結部１０，２０，３０，４０は、ベース体５がボード１０２に対して回動可能に直接連結した直接連結部としての後端連結部２０と、ベース体５が連結部材（スライド軸１３、中間前側伸縮アーム３３および中間後側アーム４３の夫々）を介してボード１０２に対して連結した間接連結部としての前端連結部１０、中間前側連結部３０および中間後側連結部４０とで構成されたものである。
【００８１】
上記構成によれば、スノーボード１０１の可撓性が減殺されることなくコントロール性を高めることができる。
【００８２】
詳述すると、上記構成によれば、ビンディング取付プレート３とボード１０２との間にベース体５を介在させ、ベース体５とボード上面１０２ｕとを複数の連結部１０，２０，３０，４０によって所定の可動範囲を許容して連結することでビンディング取付プレート３をボード１０２に直接装着した従来のタイプよりもボード１０２の撓みが剛性の高いビンディング取付プレート３によって減殺されることを解消することができる。
【００８３】
しかも、上記構成によれば、複数の連結部１０，２０，３０，４０のうち後端連結部２０を、ベース体５をボード１０２に直接連結する直接連結部に設定するとともに、それ以外の連結部１０，３０，４０を、連結部材１３，３３，４３を介してベース体５をボード１０２に連結する間接連結部に設定したため、後端連結部２０を基準としてその他の間接連結部１０，３０，４０が可動範囲の下で可動しながらボード１０２の撓みを制御することができる。
【００８４】
よって、全ての連結部が直接連結部に設定した場合のように、複数設けた各連結部に備えた連結部材が夫々の可動範囲の下で方々に自由に可動することにより、ベース体５を介してボード１０２をコントロールするコントロール性が損なわれることがないため、スノーボード１０１の可撓性が減殺されることなくコントロール性を高めることができる。
【００８５】
この発明の態様として、連結部は、ベース体５の長手方向の前後両端と、該ベース体５の長手方向の中間に設けられ、ベース体５の後端に設けた後端連結部２０を、直接連結部に設定したものである。
【００８６】
上記構成によれば、ボード１０２を効率よく制御することが可能となり、ボード１０２のコントロール性をより高めることができる。
【００８７】
具体的には、上記構成によれば、連結部１０，２０，３０，４０は、ベース体５の長手方向の前後両端と、該ベース体５の長手方向の中間に設けたため、ベース体５の長手方向において少ない連結部によりボード１０２を効率よく制御することが可能となる。
【００８８】
さらにベース体５の長手方向の後端に設けた後端連結部２０を、直接連結部に設定することにより、該直接連結部を基準点としてボード１０２の撓みを効果的に制御することが可能となりボード１０２のコントロール性をより高めることができる。
【００８９】
またこの発明の態様として、中間前側連結部３０は、アーム軸方向に伸縮する伸縮連結部材としての中間前側伸縮アーム３３を備えるとともに、該中間前側伸縮アーム３３の弾性力に基づいてボード１０２の撓みを制御する伸縮抵抗付与手段としてのバネ５３を備えたものである。
【００９０】
上記構成によれば、中間前側連結部３０は、バネ５３を備えた中間前側伸縮アーム３３により構成したため、滑走時に中間前側伸縮アーム３３がバネ５３によって衝撃を吸収することができるため、衝撃吸収効果を高めることができる。
【００９１】
さらに、滑走時にボード１０２が撓み変形しても、該ボード１０２は、バネ５３による弾性力が付勢されることで、連続して続く次の滑走面の滑走に備えてボード１０２体を元の形状に復元させ易くなるため、起伏の激しい滑走面であっても撓み変形したボード１０２の追従性を高めることができ、結果的にボード１０２のコントロール性を高めることができる。
【００９２】
またこの発明の態様として、バネ５３により付与する中間前側伸縮アーム３３の弾性力の大きさを調整する伸縮抵抗調整手段としての弾性力調整ナット５５ａを備えたものである。
【００９３】
上記構成によれば、滑走条件や各ボーダー（ユーザー）の適性、レベルに応じて伸縮抵抗調整手段によって伸縮連結部材の伸縮抵抗の大きさを調整することができるため、ボード１０２のコントロール性をより高めることができる。
【００９４】
またこの発明の態様として、ベース体５と連結部１０，２０，３０，４０とで構成される制御手段２を一対備え、該一対の制御手段２，２をボード上面１０２ｕの幅方向に並設したものである。
【００９５】
上記構成によれば、一対の制御手段２，２をボード上面１０２ｕの幅方向に並設することにより、ボード１０２の幅方向の両側において、ベース体５との間で連結部１０，２０，３０，４０により所定の可動範囲の下でボード１０２の撓みを制御することが可能となり、安定性およびコントロール性を高めることができる。
【００９６】
またこの発明の態様として、一対の制御手段２，２の幅方向の間に、これら一対の制御手段２，２に備えた両ベース体５，５を幅方向に接合するベース体接合部材を備え、ベース体接合部材をビンディング取付プレート３に設定したものである。
【００９７】
上記構成によれば、一対の制御手段２，２の幅方向の間に、ベース体接合部材としてのビンディング取付プレート３を備えることにより、一対の制御手段２，２の夫々によってユーザの体重をビンディング取付プレート３を介してバランスよく支持することができる。また、一対の制御手段２，２の連結をビンディング取付プレート３によって賄うことができるため、一対の制御手段２，２を連結するための連結部材を別途備える必要がなく部品点数を省くことができる。
【００９８】
この発明のビンディング取付部材は、本実施例のビンディング取付プレート３に対応し、以下同様に、  
複数の連結部は、前端連結部１０、後端連結部２０、中間前側連結部３０および中間後側連結部４０に対応し、  
間接連結部は、前端連結部１０、中間前側連結部３０および中間後側連結部４０に対応し、  
直接連結部は、後端連結部２０に対応し、  
連結部材は、スライド軸１３、中間前側伸縮アーム３３および中間後側アーム４３に対応し、  
伸縮連結部材は、中間前側伸縮アーム３３に対応し、  
伸縮抵抗付与手段は、バネ５３に対応し、  
伸縮抵抗調整手段は、弾性力調整ナット５５ａに対応し、  
ベース体の長手方向の前後両端のうち少なくとも一端は、ベース体５の後端に対応し、  
後記の捩り制御手段６１は、捩り制御プレート６１又は捩り制御ビーム７１に対応するも、この発明は、上述の実施例の構成のみに限定されるものではない。
【００９９】
例えば、図９、図１０に示す制御装置１Ａのように、一対の制御手段２，２に備えた夫々のベース体５の幅方向の間に、前後方向に延びる捩り制御手段６１としての捩り制御プレート６１を備えてもよい。
【０１００】
具体的には、捩り制御プレート６１は、ベース体５と同じ炭素繊維で形成された長細いプレートであり、平面視で、前後各側のビンディング取付プレート３，３と、幅方向各側の制御手段２，２との間に構成される空間に、一方の板面が上方を向くように長手方向に沿って配置されている。
【０１０１】
この捩り制御プレート６１の前端は、該前端と対向する連結プレート４側から後方へ延設する取付片６２にボルト等で接合固定され、捩り制御プレート６１の後端は、該後端と対向する連結プレート４側から前方へ延設する取付片６２にボルト等で接合固定されている。これにより捩り制御プレート６１は、その幅方向の中心軸が一対の制御手段２，２の幅方向の中心軸と一致するように、前後各側の連結プレート４，４に架け渡されている。
【０１０２】
上記構成によれば、制御装置１に長手方向の一端と後端とが中心軸回りにおいて異なる方向に変形させる力が作用した場合、すなわち、中心軸回りの捻じれ力が作用した場合であっても、捩り制御プレート６１が、その弾性力（復元力）によって捩じれ前の形状に保つように作用することができ、制御装置１を介してボード１０２の捩じれの影響を緩和してボード１０２の安定性、コントロール性を高めることができる。
【０１０３】
従って、滑走時において長手方向に延びる捩り制御手段６１を軸としてこの軸回りの捩じりについても制御することができるため、ターンしながらスムーズに滑走することができる。
【０１０４】
また、捩り制御手段６１は、上述した捩り制御プレート６１に限らず、図１１に示す捩り制御ビーム７１を採用してもよい。
【０１０５】
捩り制御ビーム７１は、２本のビーム７１ａ，７１ａを平面視でクロスさせた形状で形成され、制御装置１Ｂにおいて、平面視で、前後各側のビンディング取付プレート３，３と、幅方向各側の制御手段２，２との間に構成される空間に、対角線状に配置されている。そして、捩り制御ビーム７１の各端部は、連結プレート４の夫々に対向する部分に形成した取付片７２にボルト等で接合固定されている。
【０１０６】
上記構成の捩り制御ビーム７１を備えた制御装置１Ｂにおいても、上述した制御手段６１と同様の効果を得ることができる。
【０１０７】
また他の実施形態として、図１２（ａ１）、（ｂ１）に示すように、前端連結部１０は、前端ベース体取付部材１１に対する前端ボード取付部材１２のスライド長さを調整するスライド長さ調整手段（８１）を備えてもよい。
【０１０８】
具体的には、スライド長さ調整手段は、スライド軸３７の外周に着脱可能に形成したＣ環状等のスライド長さ調整ブロック８１（以下、「ブロック８１」という）で形成することができる。
【０１０９】
そして、ブロック８１を図１２（ａ１）に示すように、スライド軸３７の軸方向における前端ベース体取付部材１１よりも前側に装着することで、ボード１０２が逆アーチ状に撓んだとき、図１２（ａ２）に示すように、前端ボード取付部材１２は後方に退避するが、ブロック８１が前端ベース体取付部材１１に当接することでそれ以上後方に退避しないように規制することができる。
【０１１０】
これにより、ブロック８１を図１２（ａ１）に示すように、スライド軸３７の軸方向における前端ベース体取付部材１１よりも前側に装着することで、ボード１０２が逆アーチ状に撓んだときの前端連結部１０のボード１０２の変形に対する追従性を低下させることができ、結果的にボード１０２の前側部分の撓みを抑制することができる。
【０１１１】
一方、ブロック８１を図１２（ｂ１）に示すように、スライド軸３７の軸方向における前端ベース体取付部材１１よりも後側に装着することで、ボード１０２がアーチ状に撓んだとき、図１２（ｃ１）に示すように、前端ボード取付部材１２は前方へ突出するが、ブロック８１が前端ベース体取付部材１１に当接することでそれ以上前方へ突出しないように規制することができる。
【０１１２】
これにより、ブロック８１を図１２（ｂ１）に示すように、スライド軸３７の軸方向における前端ベース体取付部材１１よりも後側に装着することで、ボード１０２がアーチ状に撓もうとしたときの前端連結部１０のボード１０２の変形に対する追従性を低下させることができ、結果的にボード１０２の前側部分の撓みを抑制することができる。
【０１１３】
上述したように、前端連結部１０は、ブロック８１のスライド軸３７に対する装着位置、ブロック８１のスライド軸１３の軸方向の厚み、ブロック８１を装着するか否かを含めて変更することで、スライド軸３７のスライド量を調整することができ、結果的にボード１０２の前側部分の撓み具合を調整することできる。
【０１１４】
また上述した中間前側連結部３０は、中間前側伸縮アーム３３を備え、この中間前側伸縮アーム３３に備えたダブルナット５５（５５ａ，５５ｂ）により、バネ５３の伸縮量を調整可能に構成したが（図７（ａ），（ｂ）参照）、本発明の伸縮連結部材は、上記構成に限らず、例えば、図１３（ａ），（ｂ）に示すような他の実施形態を採用してもよい。
【０１１５】
図１３（ａ）は、図７（ｂ）に相当する他の実施形態の中間前側連結部１３０に備えた伸縮連結部材としての中間前側伸縮アーム１３３の説明図であり、図１３（ｂ）は、中間前側伸縮アーム１３３に備えた後述する中間前側伸縮アーム本体部１３６の正面図である。
【０１１６】
本実施形態の中間前側伸縮アーム１３３は、中間前側伸縮アーム本体部１３６と弾性力調節ナット１３５とで構成し、中間前側伸縮アーム本体部１３６は、図１３（ａ），（ｂ）に示すにように、段付のシャフト状に形成され、その軸方向のボード１０２側には、大径に形成したアーム大径部１３９を備えるとともに、ベース体５側にはアーム大径部１３９よりも小径に形成されたアーム小径部１３８を備え、これらアーム大径部１３９とアーム小径部１３８とが一体又は一体的に構成されている。  
すなわちアーム大径部１３９とアーム小径部１３８とは、一部材で構成する、或いはアアーム大径部１３９に対してアーム小径部１３８を嵌合する等して事実上一体に構成したものである。
【０１１７】
アーム小径部１３８には、その軸方向のベース体５側端に、上述した実施形態のスライド軸３７のように頭部３７ｂ（図７（ｂ）参照）が形成されておらず、図１３（ａ），（ｂ）に示すにように雄ネジ部１３８ａが形成されており、該雄ネジ部１３８ａに螺合する上記の弾性力調節ナット１３５を備えている（図１３（ａ）参照）。
【０１１８】
そして弾性力調節ナット１３５をアーム小径部１３８に対して回動させることにより、その回動方向、回動具合に応じて押さえ板５４とガイドブッシュ５１との間において介在するバネ５３の長さを、該押さえ板５４を介して調整することができる。すなわち、バネ５３の伸縮量（弾性力）を調整することができる。
【０１１９】
このように本実施形態の中間前側伸縮アーム１３３は、バネ５３の弾性力の調整機能を有しつつも、アーム大径部１３９とアーム小径部１３８とを一体化することで、図７（ａ），（ｂ）に示した中間前側伸縮アーム３３のように、アーム長調節ナット５２やダブルナット５５（５５ａ，５５ｂ）を省略した構成として部品点数を減らして、中間前側伸縮アーム１３３全体としてシンプルかつコンパクトな構成を実現することができる。
【符号の説明】
【０１２０】
１，１Ａ，１Ｂ…スノーボード用制御装置
２…制御手段
３…ビンディング取付プレート
５…ベース体
１０…前端連結部
１３…スライド軸
２０…後端連結部
３０，１３０…中間前側連結部
３３，１３３…中間前側伸縮アーム
４０…中間後側連結部
４３…中間後側アーム
５３…バネ
５５ａ，１３５…弾性力調整ナット
６１…捩り制御プレート
７１…捩り制御ビーム
１３６…中間前側伸縮アーム本体部
【手続補正２】
【補正対象書類名】特許請求の範囲
【補正対象項目名】全文
【補正方法】変更
【補正の内容】
【特許請求の範囲】
【請求項１】
スノーボードのボードの上面に設置されるベース体と、
該ベース体の長手方向の前後各側に、ビンディングを取付け可能に備えたビンディング取付部材と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定し、
上記連結部は、上記ベース体の長手方向の前後両端のうち少なくとも一端と、該ベース体の長手方向の中間に設けられ、
上記ベース体の少なくとも上記一端に設けた上記連結部を、上記直接連結部に設定した
スノーボード用制御装置。
【請求項２】
スノーボードのボードの上面に設置されるベース体と、
該ベース体の長手方向の前後各側に、ビンディングを取付け可能に備えたビンディング取付部材と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定し、
少なくとも１つの上記間接連結部は、該間接連結部の長手方向に伸縮する伸縮連結部材を備えるとともに、該伸縮連結部材の伸縮抵抗に基づいて上記ボードの撓みを制御する伸縮抵抗付与手段を備え、
上記伸縮抵抗付与手段により付与する上記伸縮連結部材の伸縮抵抗の大きさを調整する伸縮抵抗調整手段を備えた
スノーボード用制御装置。
【請求項３】
上記ベース体と上記連結部とで構成される制御手段を一対備え、該一対の制御手段を上記ボードの上面の幅方向に並設した
請求項１又は２に記載のスノーボード用制御装置。
【請求項４】
スノーボードのボードの上面に設置されるベース体と、
該ベース体の長手方向の前後各側に、ビンディングを取付け可能に備えたビンディング取付部材と、
上記ベース体と上記ボードの上面とを所定の可動範囲を許容して連結することで該ボードの撓みを制御可能とする複数の連結部と、で構成されるスノーボード用制御装置であって、
上記連結部は、上記ベース体が上記ボードに対して回動可能に直接連結した直接連結部と、上記ベース体が連結部材を介して上記ボードに対して連結した間接連結部とで構成され、
これら連結部のうち１つの連結部を、上記直接連結部に設定するとともに、該直接連結部以外の複数の上記連結部を、上記直接連結部を基準としてボードの撓みを制御する上記間接連結部に設定し、
上記ベース体と上記連結部とで構成される制御手段を一対備え、該一対の制御手段を上記ボードの上面の幅方向に並設した
スノーボード用制御装置。
【請求項５】
上記一対の制御手段に備えた夫々の上記ベース体の幅方向の間に、該ベース体の長手方向に延びる捩り制御手段を備えた
請求項３又は４に記載のスノーボード用制御装置。
【請求項６】
上記一対の制御手段の幅方向の間に、これら一対の制御手段に備えた両ベース体を幅方向に接合するベース体接合部材を備え、
上記ベース体接合部材を、上記ベース体の長手方向の前後両側に備えた上記ビンディング取付部材に設定した
請求項３乃至５のいずれか１項に記載のスノーボード用制御装置。
【国際調査報告】
2018122967.tif 000017
2018122967.tif 000018
2018122967.tif 000019
2018122967.tif 000020